(57)【特許請求の範囲】
【請求項１】
複数の作業者のうちいずれかの作業者である対象作業者へ報知する報知システム（１，１００，２００，３００）であって、
前記作業者の覚醒度、前記作業者の疲労度及び前記作業者のストレス度の少なくとも１つに関する情報である覚醒度等関連情報を検知する第１検知部（４４ａ，・・・）と、
前記対象作業者の存在を、少なくとも前記複数の作業者のうち前記対象作業者以外の１以上の作業者である別の作業者と区別して検知する第２検知部（４５ａ，・・・）と、
前記別の作業者の前記覚醒度等関連情報をネットワーク（８０）経由で受信する受信部（１１，４１ａ，・・・）と、
前記覚醒度等関連情報に基づいて加工された情報であり前記対象作業者に関する情報と前記別の作業者を含む報知作業者群に関する情報とを比較し得る加工情報を、前記対象作業者へ報知する報知部（１５，４３ａ，・・・，１４３ａ，・・・）と、
を備えた、
報知システム（１，１００，２００，３００）。
【請求項２】
前記対象作業者の存在と前記覚醒度等関連情報との相関関係を記憶する第１相関関係記憶部（１７，３５５ａ，・・・）と、
前記対象作業者の前記覚醒度等関連情報と前記別の作業者の前記覚醒度等関連情報とに基づいて、前記加工情報を生成する生成部（１３，２５３ａ，・・・）と、
をさらに備えた、
請求項１に記載の報知システム（１，１００，２００，３００）。
【請求項３】
前記覚醒度等関連情報は、前記作業者の生理活動に関する情報であり、
前記加工情報は、前記対象作業者の前記生理活動のレベルについての前記報知作業者群における相対的な位置、前記報知作業者群の前記生理活動のレベルの所定期間における平均値及び前記対象作業者の前記生理活動のレベル、前記報知作業者群の前記生理活動のレベルの所定期間における平均値及び前記対象作業者の前記生理活動のレベルの所定期間における平均値、前記報知作業者群におけるそれぞれの前記作業者の前記生理活動のレベル、前記報知作業者群におけるそれぞれの前記作業者の前記生理活動のレベルについての頻度分布、前記報知作業者群におけるそれぞれの前記作業者の前記生理活動のレベルについての平均値、前記報知作業者群におけるそれぞれの前記作業者の前記生理活動のレベルについての最大値、前記報知作業者群におけるそれぞれの前記作業者の前記生理活動のレベルについての最小値並びに前記報知作業者群におけるそれぞれの前記作業者の前記生理活動の履歴のうち少なくとも１つである、
請求項１又は２に記載の報知システム（１，１００，２００，３００）。
【請求項４】
前記報知部（１５，４３ａ，・・・，１４３ａ，・・・）は、前記加工情報を表示することにより前記対象作業者へ報知する、あるいは前記加工情報を音声で知らせることにより前記対象作業者へ報知する、
請求項１から３のいずれかに記載の報知システム（１，１００，２００，３００）。
【請求項５】
前記複数の作業者のうち少なくとも前記報知作業者群について、少なくとも前記覚醒度等関連情報を前記ネットワーク（８０）経由で集中的に管理する集中管理部（１２，１１２，２１２）をさらに備え、
前記受信部（１１）は、前記対象作業者の前記覚醒度等関連情報と前記別の作業者の前記覚醒度等関連情報とを前記ネットワーク（８０）経由で受信し、前記対象作業者の前記覚醒度等関連情報と前記別の作業者の前記覚醒度等関連情報とを前記集中管理部（１２，１１２，２１２）へ渡し、
前記生成部（２５３ａ，・・・）は、前記対象作業者の前記覚醒度等関連情報と前記別の作業者の前記覚醒度等関連情報とを、前記ネットワーク（８０）経由で前記集中管理部（１２，１１２，２１２）から受け取る、
請求項２から４のいずれかに記載の報知システム（１，１００，２００，３００）。
【請求項６】
前記複数の作業者のうち少なくとも前記報知作業者群について、少なくとも前記覚醒度等関連情報を前記ネットワーク（８０）経由で集中的に管理する集中管理部（１２，１１２，２１２）をさらに備え、
前記受信部（１１）は、前記対象作業者の前記覚醒度等関連情報と前記別の作業者の前記覚醒度等関連情報とを前記ネットワーク（８０）経由で受信し、前記対象作業者の前記覚醒度等関連情報と前記別の作業者の前記覚醒度等関連情報とを前記集中管理部（１２，１１２，２１２）へ渡し、
前記生成部（１３，２５３ａ，・・・）は、前記加工情報を前記ネットワーク（８０）経由で前記報知部（１４３ａ，・・・）へ渡す、
請求項２から４のいずれかに記載の報知システム（１，１００，２００，３００）。
【請求項７】
前記複数の作業者のうち少なくとも前記報知作業者群について、少なくとも前記覚醒度等関連情報を前記ネットワーク（８０）経由で集中的に管理する集中管理部（１２，１１２，２１２）をさらに備え、
前記受信部（１１）は、前記対象作業者の前記覚醒度等関連情報と前記別の作業者の前記覚醒度等関連情報とを前記ネットワーク（８０）経由で受信し、前記対象作業者の前記覚醒度等関連情報と前記別の作業者の前記覚醒度等関連情報とを前記集中管理部（１２，１１２，２１２）へ渡し、
前記報知部（１５）は、前記加工情報を前記ネットワーク（８０）経由で前記対象作業者へ報知する、
請求項２から４のいずれかに記載の報知システム（１，１００，２００，３００）。
【請求項８】
前記集中管理部（１２，１１２，２１２）には、前記対象作業者の前記覚醒度等関連情報に対する第三者のアドバイスである第１アドバイスが入力され、
前記報知部（１５，４３ａ，・・・，１４３ａ，・・・）は、前記第１アドバイスを前記対象作業者へさらに報知する、
請求項５から７のいずれかに記載の報知システム（１，１００，２００，３００）。
【請求項９】
前記集中管理部（１２，１１２，２１２）は、前記対象作業者の前記覚醒度等関連情報に対する第三者のアドバイスである第１アドバイスを選択し、
前記報知部（１５，４３ａ，・・・，１４３ａ，・・・）は、前記第１アドバイスを前記対象作業者へさらに報知する、
請求項５から７のいずれかに記載の報知システム（１，１００，２００，３００）。
【請求項１０】
前記覚醒度等関連情報に関する前記作業者の主観である第１申告情報が入力される第１入力部（４８ａ，・・・）をさらに備えた、
請求項１から９のいずれかに記載の報知システム（１，１００，２００，３００）。
【請求項１１】
前記第１検知部（４４ａ，・・・）が検知した前記覚醒度等関連情報と前記第１入力部（４８ａ，・・・）に入力された前記第１申告情報との相関関係を前記作業者毎に記憶する第２相関関係記憶部（１８，３５６ａ，・・・）をさらに備えた、
請求項１０に記載の報知システム（１，１００，２００，３００）。
【請求項１２】
前記作業者の状態を検知する第３検知部（４６ａ，・・・）と、
前記作業者の状態に基づいて、前記作業者の状態に適した前記覚醒度等関連情報の範囲である好適範囲を決定する決定部（１４，２５４ａ，・・・）と、
をさらに備え、
前記報知部（１５，４３ａ，・・・，１４３ａ，・・・）は、前記加工情報を前記好適範囲とともに前記対象作業者へ報知する、
請求項１から１１のいずれかに記載の報知システム（１，１００，２００，３００）。
【請求項１３】
前記覚醒度等関連情報は、前記作業者の生理活動に関する情報であり、
前記加工情報は、前記対象作業者の前記生理活動のレベルについての前記報知作業者群における相対的な位置、前記報知作業者群の前記生理活動のレベルの所定期間における平均値及び前記対象作業者の前記生理活動のレベル、前記報知作業者群の前記生理活動のレベルの所定期間における平均値及び前記対象作業者の前記生理活動のレベルの所定期間における平均値、前記報知作業者群におけるそれぞれの前記作業者の前記生理活動のレベル、前記報知作業者群におけるそれぞれの前記作業者の前記生理活動のレベルについての頻度分布、前記報知作業者群におけるそれぞれの前記作業者の前記生理活動のレベルについての平均値、前記報知作業者群におけるそれぞれの前記作業者の前記生理活動のレベルについての最大値、前記報知作業者群におけるそれぞれの前記作業者の前記生理活動のレベルについての最小値、前記報知作業者群におけるそれぞれの前記作業者の前記生理活動の履歴、前記報知作業者群におけるそれぞれの前記作業者の前記生理活動が前記好適範囲を外れた連続時間並びに前記報知作業者群におけるそれぞれの前記作業者の前記生理活動が前記好適範囲を外れた累積時間のうち少なくとも１つである、
請求項１２に記載の報知システム（１，１００，２００，３００）。
【請求項１４】
前記第３検知部（４６ａ，・・・）は、前記作業者の状態として、前記作業者の作業の種類を検知する、
請求項１２又は１３に記載の報知システム（１，１００，２００，３００）。
【請求項１５】
前記第３検知部（４６ａ，・・・）は、前記作業者の状態として、前記作業者の作業の経過時間、前記作業者の作業の残勤務時間、前記作業者の動作量、前記作業者の在席の連続時間及び前記作業者の在席の累積時間のうち少なくとも１つを検知する、
請求項１２から１４のいずれかに記載の報知システム（１，１００，２００，３００）。
【請求項１６】
前記第３検知部（４６ａ，・・・）は、前記作業者の状態として、前記作業者の周囲の環境を検知する、
請求項１２から１５のいずれかに記載の報知システム（１，１００，２００，３００）。
【請求項１７】
前記複数の作業者のうち少なくとも前記報知作業者群について、少なくとも前記覚醒度等関連情報を前記ネットワーク（８０）経由で集中的に管理する集中管理部（１２，１１２，２１２）をさらに備え、
前記受信部（１１）は、前記報知作業者群におけるそれぞれの前記作業者の状態の情報と前記対象作業者の前記覚醒度等関連情報と前記別の作業者の前記覚醒度等関連情報とを前記ネットワーク（８０）経由で受信し、前記報知作業者群におけるそれぞれの前記作業者の状態の情報と前記対象作業者の前記覚醒度等関連情報と前記別の作業者の前記覚醒度等関連情報とを前記集中管理部（１２，１１２，２１２）へ渡し、
前記集中管理部（１２，１１２，２１２）には、前記対象作業者の前記覚醒度等関連情報に対する前記作業者の状態に基づく第三者のアドバイスである第２アドバイスが入力され、
前記報知部（１５，４３ａ，・・・，１４３ａ，・・・）は、前記第２アドバイスを前記対象作業者へさらに報知する、
請求項１２から１６のいずれかに記載の報知システム（１，１００，２００，３００）。
【請求項１８】
前記複数の作業者のうち少なくとも前記報知作業者群について、少なくとも前記覚醒度等関連情報を前記ネットワーク（８０）経由で集中的に管理する集中管理部（１２，１１２，２１２）をさらに備え、
前記受信部（１１）は、前記報知作業者群におけるそれぞれの前記作業者の状態の情報と前記対象作業者の前記覚醒度等関連情報と前記別の作業者の前記覚醒度等関連情報とを前記ネットワーク（８０）経由で受信し、前記報知作業者群におけるそれぞれの前記作業者の状態の情報と前記対象作業者の前記覚醒度等関連情報と前記別の作業者の前記覚醒度等関連情報とを前記集中管理部（１２，１１２，２１２）へ渡し、
前記集中管理部（１２，１１２，２１２）は、前記対象作業者の前記覚醒度等関連情報に対する前記作業者の状態に基づく第三者のアドバイスである第２アドバイスを選択し、
前記報知部（１５，４３ａ，・・・，１４３ａ，・・・）は、前記第２アドバイスを前記対象作業者へさらに報知する、
請求項１２から１６のいずれかに記載の報知システム（１，１００，２００，３００）。
【請求項１９】
前記覚醒度等関連情報と前記好適範囲との相関関係を前記作業者毎に記憶する第３相関関係記憶部（１９，３５７ａ，・・・）をさらに備えた、
請求項１２から１８のいずれかに記載の報知システム（１，１００，２００，３００）。
【請求項２０】
前記第３相関関係記憶部（１９，３５７ａ，・・・）は、前記覚醒度等関連情報と前記好適範囲との相関関係を、前記作業者の状態毎に記憶する、
請求項１２から１９のいずれかに記載の報知システム（１，１００，２００，３００）。
【請求項２１】
前記好適範囲に関する前記作業者の主観である第２申告情報が入力される第２入力部（４９ａ，・・・）をさらに備えた、
請求項１２から２０のいずれかに記載の報知システム（１，１００，２００，３００）。
【請求項２２】
前記作業者の状態に関する前記作業者の主観である第３申告情報が入力される第３入力部（５１ａ，・・・）をさらに備えた、
請求項１２から２１のいずれかに記載の報知システム（１，１００，２００，３００）。
【請求項２３】
前記作業者の作業の成績を検知する第４検知部（４７ａ，・・・）をさらに備え、
前記決定部（１４，２５４ａ，・・・）は、前記作業者の状態と前記作業者の前記作業の成績とに基づいて、前記好適範囲を決定する、
請求項１２から２２のいずれかに記載の報知システム（１，１００，２００，３００）。
【請求項２４】
前記作業者の作業の成績に関する前記作業者の主観である第４申告情報が入力される第４入力部（５２ａ，・・・）をさらに備えた、
請求項２３に記載の報知システム（１，１００，２００，３００）。
【請求項２５】
複数の作業者のうちいずれかの作業者である対象作業者へコンピュータ（１０，１１０，２１０，４０ａ，・・・，１４０ａ，・・・，２４０ａ，・・・，３４０ａ，・・・）に報知させる報知プログラムであって、
前記作業者の覚醒度、前記作業者の疲労度及び前記作業者のストレス度の少なくとも１つに関する情報である覚醒度等関連情報が検知されるとともに、前記対象作業者の存在が、少なくとも前記複数の作業者のうち前記対象作業者以外の１以上の作業者である別の作業者と区別して検知される検知ステップと、
少なくとも前記複数の作業者のうち前記対象作業者以外の１以上の作業者である別の作業者の前記覚醒度等関連情報がネットワーク（８０）経由で受信される受信ステップと、
前記覚醒度等関連情報に基づいて加工された情報であり前記対象作業者に関する情報と前記別の作業者を含む報知作業者群に関する情報とを比較し得る加工情報が、前記対象作業者へ報知される報知ステップと、
を備えた、
報知プログラム。
【発明の詳細な説明】
【技術分野】
【０００１】
本発明は、報知システム及び報知プログラムに関する。
【背景技術】
【０００２】
従来から、作業者の覚醒度、作業者の疲労度及び作業者のストレス度の少なくとも１つ（以下、作業者の覚醒度等とする）に関する情報である覚醒度等関連情報に基づいて、報知するシステムが提案されている（例えば、特許文献１参照。）。
【特許文献１】特開平４−３４８７５９（第１−３頁、第１−５図）
【発明の開示】
【発明が解決しようとする課題】
【０００３】
しかし、従来のシステムでは、一人の作業者について覚醒度等関連情報が報知されているため、対象作業者の覚醒度等が適度な値でない場合に、その原因が対象作業者の個人的な原因であるのか対象作業者と別の作業者とに共通した原因であるのかを判断することが困難になることがある。ここで、対象作業者は、複数の作業者のうちいずれかの作業者である。別の作業者は、複数の作業者のうち対象作業者以外の１以上の作業者である。そのため、作業者の覚醒度等を改善することが困難になることがある。その結果、作業者の生産性が向上しないことがある。
【０００４】
そこで、本発明の課題は、作業者の生産性を向上することができる報知システム及び報知プログラムを提供することにある。
【課題を解決するための手段】
【０００５】
請求項１に係る報知システムは、対象作業者へ報知する報知システムであって、第１検知部と受信部と報知部とを備える。対象作業者は、複数の作業者のうちいずれかの作業者である。第１検知部は、覚醒度等関連情報を検知する。第２検知部は、対象作業者の存在を、少なくとも複数の作業者のうち対象作業者以外の１以上の作業者である別の作業者と区別して検知する。覚醒度等関連情報は、作業者の覚醒度、作業者の疲労度及び作業者のストレス度の少なくとも１つ（以下、作業者の覚醒度等とする）に関する情報である。受信部は、少なくとも別の作業者の覚醒度等関連情報をネットワーク経由で受信する。別の作業者は、複数の作業者のうち対象作業者以外の１以上の作業者である。報知部は、加工情報を対象作業者へ報知する。加工情報は、覚醒度等関連情報に基づいて加工された情報であり、対象作業者に関する情報と報知作業者群に関する情報とを比較し得る情報である。報知作業者群は、別の作業者を含む。
【０００６】
この報知システムでは、第１検知部が、覚醒度等関連情報を検知する。対象作業者の存在を、別の作業者と区別して第２検知部が検知する。それにより、対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。報知部が、加工情報を受け取ることができる。報知部が、加工情報を対象作業者へ報知する。
【０００７】
したがって、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【０００８】
なお、報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【０００９】
請求項２に係る報知システムは、請求項１に記載の報知システムであって、第２検知部と第１相関関係記憶部と生成部とをさらに備える。第２検知部は、対象作業者の存在を別の作業者と区別して検知する。第１相関関係記憶部は、対象作業者の存在と覚醒度等関連情報との相関関係を記憶する。生成部は、対象作業者の覚醒度等関連情報と別の作業者の覚醒度等関連情報とに基づいて、加工情報を生成する。
【００１０】
この報知システムでは、第１検知部が、覚醒度等関連情報を検知する。第２検知部が、対象作業者の存在を別の作業者と区別して検知する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、少なくとも別の作業者の覚醒度等関連情報をネットワーク経由で受信する。生成部が、対象作業者の覚醒度等関連情報と別の作業者の覚醒度等関連情報とを受け取ることができる。生成部が、対象作業者の覚醒度等関連情報と別の作業者の覚醒度等関連情報とに基づいて、加工情報を生成する。報知部が、加工情報を受け取ることができる。報知部が、加工情報を対象作業者へ報知する。
【００１１】
したがって、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【００１２】
請求項３に係る報知システムは、請求項１又は２に記載の報知システムであって、覚醒度等関連情報は、作業者の生理活動に関する情報である。加工情報は、対象作業者の生理活動のレベルについての報知作業者群における相対的な位置、報知作業者群の生理活動のレベルの所定期間における平均値及び対象作業者の生理活動のレベル、報知作業者群の生理活動のレベルの所定期間における平均値及び対象作業者の生理活動のレベルの所定期間における平均値、報知作業者群におけるそれぞれの作業者の生理活動のレベル、報知作業者群におけるそれぞれの作業者の生理活動のレベルについての頻度分布、報知作業者群におけるそれぞれの作業者の生理活動のレベルについての平均値、報知作業者群におけるそれぞれの作業者の生理活動のレベルについての最大値、報知作業者群におけるそれぞれの作業者の生理活動のレベルについての最小値並びに報知作業者群におけるそれぞれの作業者の生理活動の履歴のうち少なくとも１つである。
【００１３】
この報知システムでは、第１検知部が、覚醒度等関連情報を検知する。覚醒度等関連情報が、作業者の生理活動に関する情報である。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。加工情報が、対象作業者の生理活動のレベルについての報知作業者群における相対的な位置、報知作業者群の生理活動のレベルの所定期間における平均値及び対象作業者の生理活動のレベル、報知作業者群の生理活動のレベルの所定期間における平均値及び対象作業者の生理活動のレベルの所定期間における平均値、報知作業者群におけるそれぞれの作業者の生理活動のレベル、報知作業者群におけるそれぞれの作業者の生理活動のレベルについての頻度分布、報知作業者群におけるそれぞれの作業者の生理活動のレベルについての平均値、報知作業者群におけるそれぞれの作業者の生理活動のレベルについての最大値、報知作業者群におけるそれぞれの作業者の生理活動のレベルについての最小値並びに報知作業者群におけるそれぞれの作業者の生理活動の履歴のうち少なくとも１つである。
【００１４】
したがって、覚醒度等関連情報に基づいて、加工情報を詳細に生成することができる。
【００１５】
なお、生理活動は、例えば、交感神経及び副交感神経の活動、心拍、脳波、脈拍などである。
【００１６】
請求項４に係る報知システムは、請求項１から３のいずれかに記載の報知システムであって、報知部は、加工情報を表示することにより、対象作業者へ報知する。あるいは、報知部は、加工情報を音声で知らせることにより、対象作業者へ報知する。
【００１７】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。報知部が、加工情報を受け取ることができる。報知部が、加工情報を表示することにより、対象作業者へ報知する。あるいは、報知部が、加工情報を音声で知らせることにより、対象作業者へ報知する。
【００１８】
したがって、加工情報を表示することにより対象作業者へ報知する、あるいは加工情報を音声で知らせることにより対象作業者へ報知するので、覚醒度等関連情報について対象作業者と別の作業者とを比較することを容易にすることができる。
【００１９】
請求項５に係る報知システムは、請求項２から４のいずれかに記載の報知システムであって、集中管理部をさらに備える。集中管理部は、複数の作業者のうち少なくとも報知作業者群について、少なくとも覚醒度等関連情報をネットワーク経由で集中的に管理する。受信部は、対象作業者の覚醒度等関連情報と別の作業者の覚醒度等関連情報とをネットワーク経由で受信する。受信部は、対象作業者の覚醒度等関連情報と別の作業者の覚醒度等関連情報とを集中管理部へ渡す。生成部は、対象作業者の覚醒度等関連情報と別の作業者の覚醒度等関連情報とを、ネットワーク経由で集中管理部から受け取る。
【００２０】
この報知システムでは、第１検知部が、覚醒度等関連情報を検知する。第２検知部が、対象作業者の存在を別の作業者と区別して検知する。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、別の作業者の覚醒度等関連情報をネットワーク経由で受信する。受信部が、別の作業者の覚醒度等関連情報を集中管理部へ渡す。生成部が、対象作業者の覚醒度等関連情報と別の作業者の覚醒度等関連情報とを、ネットワーク経由で集中管理部から受け取る。生成部が、対象作業者の覚醒度等関連情報と別の作業者の覚醒度等関連情報とに基づいて、加工情報を生成する。報知部が、加工情報を受け取ることができる。報知部が、加工情報を対象作業者へ報知する。
【００２１】
したがって、別の作業者の覚醒度等関連情報を集中管理部経由で受け取るので、別の作業者の覚醒度等関連情報を効率よく受け取ることができる。
【００２２】
請求項６に係る報知システムは、請求項２から４のいずれかに記載の報知システムであって、集中管理部をさらに備える。集中管理部は、複数の作業者のうち少なくとも報知作業者群について、少なくとも覚醒度等関連情報をネットワーク経由で集中的に管理する。受信部は、対象作業者の覚醒度等関連情報と別の作業者の覚醒度等関連情報とをネットワーク経由で受信する。受信部は、対象作業者の覚醒度等関連情報と別の作業者の覚醒度等関連情報とを集中管理部へ渡す。生成部は、加工情報をネットワーク経由で報知部へ渡す。
【００２３】
この報知システムでは、第１検知部が、覚醒度等関連情報を検知する。第２検知部が、対象作業者の存在を別の作業者と区別して検知する。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、別の作業者の覚醒度等関連情報をネットワーク経由で受信する。受信部が、別の作業者の覚醒度等関連情報を集中管理部へ渡す。生成部が、対象作業者の覚醒度等関連情報と別の作業者の覚醒度等関連情報とを集中管理部経由で受け取ることができる。生成部が、対象作業者の覚醒度等関連情報と別の作業者の覚醒度等関連情報とに基づいて、加工情報を生成する。生成部が、加工情報をネットワーク経由で報知部へ渡す。報知部が、加工情報を対象作業者へ報知する。
【００２４】
したがって、加工情報の生成を集中管理部側で行うので、加工情報を効率的に生成することができる。
【００２５】
請求項７に係る報知システムは、請求項２から４のいずれかに記載の報知システムであって、集中管理部をさらに備える。集中管理部は、複数の作業者のうち少なくとも報知作業者群について、少なくとも覚醒度等関連情報をネットワーク経由で集中的に管理する。受信部は、対象作業者の覚醒度等関連情報と別の作業者の覚醒度等関連情報とをネットワーク経由で受信する。受信部は、対象作業者の覚醒度等関連情報と別の作業者の覚醒度等関連情報とを集中管理部へ渡す。報知部は、加工情報をネットワーク経由で対象作業者へ報知する。
【００２６】
この報知システムでは、第１検知部が、覚醒度等関連情報を検知する。第２検知部が、対象作業者の存在を別の作業者と区別して検知する。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、別の作業者の覚醒度等関連情報をネットワーク経由で受信する。受信部が、別の作業者の覚醒度等関連情報を集中管理部へ渡す。生成部が、対象作業者の覚醒度等関連情報と別の作業者の覚醒度等関連情報とを集中管理部経由で受け取ることができる。生成部が、対象作業者の覚醒度等関連情報と別の作業者の覚醒度等関連情報とに基づいて、加工情報を生成する。報知部が、加工情報を受け取ることができる。報知部が、加工情報をネットワーク経由で対象作業者へ報知する。
【００２７】
したがって、報知の処理を集中管理部側で行うので、加工情報を効率的に報知することができる。
【００２８】
請求項８に係る報知システムは、請求項５から７のいずれかに記載の報知システムであって、集中管理部には、第１アドバイスが入力される。第１アドバイスは、対象作業者の覚醒度等関連情報に対する第三者のアドバイスである。報知部は、第１アドバイスを対象作業者へさらに報知する。
【００２９】
この報知システムでは、第１検知部が、覚醒度等関連情報を検知する。第２検知部が、対象作業者の存在を別の作業者と区別して検知する。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、別の作業者の覚醒度等関連情報をネットワーク経由で受信する。受信部が、別の作業者の覚醒度等関連情報を集中管理部へ渡す。集中管理部に、第１アドバイスが入力される。報知部が、第１アドバイスを受け取ることができる。報知部が、第１アドバイスを対象作業者へさらに報知する。
【００３０】
したがって、集中管理部に入力された第１アドバイスをさらに報知するので、作業者の覚醒度等を改善することをさらに容易にすることができる。
【００３１】
請求項９に係る報知システムは、請求項５から７のいずれかに記載の報知システムであって、集中管理部は、第１アドバイスを選択する。第１アドバイスは、対象作業者の覚醒度等関連情報に対する第三者のアドバイスである。報知部は、第１アドバイスを対象作業者へさらに報知する。
【００３２】
この報知システムでは、第１検知部が、覚醒度等関連情報を検知する。第２検知部が、対象作業者の存在を別の作業者と区別して検知する。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。第１相関関係記憶部が、対象作業者の存在の情報と覚醒度等関連情報とを受け取ることができる。第１相関関係記憶部が、対象作業者の存在と覚醒度等関連情報との相関関係を記憶する。これにより、対象作業者の存在と覚醒度等関連情報とを関連付けることができる。受信部が、別の作業者の覚醒度等関連情報をネットワーク経由で受信する。受信部が、別の作業者の覚醒度等関連情報を集中管理部へ渡す。集中管理部が、第１アドバイスを選択する。報知部が、第１アドバイスを受け取ることができる。報知部が、第１アドバイスを対象作業者へさらに報知する。
【００３３】
したがって、集中管理部が選択した第１アドバイスをさらに報知するので、作業者の覚醒度等を改善することをさらに容易にすることができる。
【００３４】
請求項１０に係る報知システムは、請求項１から９のいずれかに記載の報知システムであって、第１入力部をさらに備える。第１入力部には、第１申告情報が入力される。第１申告情報は、覚醒度等関連情報に関する作業者の主観である。
【００３５】
この報知システムでは、第１入力部に、第１申告情報が入力される。第１申告情報を覚醒度等関連情報とすることができる。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。
【００３６】
したがって、第１申告情報が入力されるので、覚醒度等関連情報を確実に把握することができる。
【００３７】
請求項１１に係る報知システムは、請求項１０に記載の報知システムであって、第２相関関係記憶部をさらに備える。第２相関関係記憶部は、第１検知部が検知した覚醒度等関連情報と第１入力部に入力された第１申告情報との相関関係を作業者毎に記憶する。
【００３８】
この報知システムでは、第１検知部が、覚醒度等関連情報を検知する。対象作業者の存在を、別の作業者と区別して検知することができる。第１入力部に、第１申告情報が入力される。第２相関関係記憶部が、第１検知部が検知した覚醒度等関連情報と第１入力部に入力された第１申告情報と作業者の存在の情報とを受け取ることができる。第２相関関係記憶部が、第１検知部が検知した覚醒度等関連情報と第１入力部に入力された第１申告情報との相関関係を作業者毎に記憶する。
【００３９】
したがって、第１検知部が検知した覚醒度等関連情報と第１入力部に入力された第１申告情報との相関関係を作業者毎に記憶するので、覚醒度等の個人差を把握することができる。
【００４０】
請求項１２に係る報知システムは、請求項１から１１のいずれかに記載の報知システムであって、第３検知部と決定部とをさらに備える。第３検知部は、作業者の状態を検知する。決定部は、作業者の状態に基づいて、好適範囲を決定する。好適範囲は、作業者の状態に適した覚醒度等関連情報の範囲である。報知部は、加工情報を好適範囲とともに対象作業者へ報知する。
【００４１】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。第３検知部が、作業者の状態を検知する。決定部が、作業者の状態の情報を受け取ることができる。決定部が、作業者の状態に基づいて、好適範囲を決定する。決定部が、対象作業者の状態に基づいて、対象作業者の好適範囲を決定することができる。報知部が、加工情報を受け取ることができる。報知部が、好適範囲の情報を受け取ることができる。報知部が、加工情報を好適範囲とともに対象作業者へ報知する。
【００４２】
したがって、覚醒度等関連情報と好適範囲との関係を把握することができるため、作業者の覚醒度等を好適範囲に近づけることができる。このため、作業者の生産性を向上することができる。
【００４３】
請求項１３に係る報知システムは、請求項１２に記載の報知システムであって、覚醒度等関連情報は、作業者の生理活動に関する情報である。加工情報は、対象作業者の生理活動のレベルについての報知作業者群における相対的な位置、報知作業者群の生理活動のレベルの所定期間における平均値及び対象作業者の生理活動のレベル、報知作業者群の生理活動のレベルの所定期間における平均値及び対象作業者の生理活動のレベルの所定期間における平均値、報知作業者群におけるそれぞれの作業者の生理活動のレベル、報知作業者群におけるそれぞれの作業者の生理活動のレベルについての頻度分布、報知作業者群におけるそれぞれの作業者の生理活動のレベルについての平均値、報知作業者群におけるそれぞれの作業者の生理活動のレベルについての最大値、報知作業者群におけるそれぞれの作業者の生理活動のレベルについての最小値、報知作業者群におけるそれぞれの作業者の生理活動の履歴、報知作業者群におけるそれぞれの作業者の生理活動が好適範囲を外れた連続時間並びに報知作業者群におけるそれぞれの作業者の生理活動が好適範囲を外れた累積時間のうち少なくとも１つである。
【００４４】
この報知システムでは、第１検知部が、覚醒度等関連情報を検知する。覚醒度等関連情報が、作業者の生理活動に関する情報である。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。加工情報が、対象作業者の生理活動のレベルについての報知作業者群における相対的な位置、報知作業者群の生理活動のレベルの所定期間における平均値及び対象作業者の生理活動のレベル、報知作業者群の生理活動のレベルの所定期間における平均値及び対象作業者の生理活動のレベルの所定期間における平均値、報知作業者群におけるそれぞれの作業者の生理活動のレベル、報知作業者群におけるそれぞれの作業者の生理活動のレベルについての頻度分布、報知作業者群におけるそれぞれの作業者の生理活動のレベルについての平均値、報知作業者群におけるそれぞれの作業者の生理活動のレベルについての最大値、報知作業者群におけるそれぞれの作業者の生理活動のレベルについての最小値、報知作業者群におけるそれぞれの作業者の生理活動の履歴、報知作業者群におけるそれぞれの作業者の生理活動が好適範囲を外れた連続時間並びに報知作業者群におけるそれぞれの作業者の生理活動が好適範囲を外れた累積時間のうち少なくとも１つである。
【００４５】
したがって、覚醒度等関連情報に基づいて、加工情報を詳細に生成することができる。
【００４６】
請求項１４に係る報知システムは、請求項１２又は１３に記載の報知システムであって、第３検知部は、作業者の状態として、作業者の作業の種類を検知する。
【００４７】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。第３検知部が、作業者の状態として、作業者の作業の種類を検知する。決定部が、作業者の状態の情報を受け取ることができる。決定部が、作業者の状態に基づいて、好適範囲を決定する。報知部が、加工情報を受け取ることができる。報知部が、好適範囲の情報を受け取ることができる。報知部が、加工情報を好適範囲とともに対象作業者へ報知する。
【００４８】
したがって、作業者の作業の種類に適した覚醒度等関連情報の範囲とともに、加工情報を報知することができる。
【００４９】
なお、作業の種類は、例えば、単純な作業と複雑な作業とである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【００５０】
請求項１５に係る報知システムは、請求項１２から１４のいずれかに記載の報知システムであって、第３検知部は、作業者の状態として、作業者の作業の経過時間、作業者の作業の残勤務時間、作業者の動作量、作業者の在席の連続時間及び作業者の在席の累積時間のうち少なくとも１つを検知する。
【００５１】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。第３検知部が、作業者の状態として、作業者の作業の経過時間、作業者の作業の残勤務時間、作業者の動作量、作業者の在席の連続時間及び作業者の在席の累積時間のうち少なくとも１つを検知する。決定部が、作業者の状態の情報を受け取ることができる。決定部が、作業者の状態に基づいて、好適範囲を決定する。報知部が、加工情報を受け取ることができる。報知部が、好適範囲の情報を受け取ることができる。報知部が、加工情報を好適範囲とともに対象作業者へ報知する。
【００５２】
したがって、作業者の作業の経過時間、作業者の作業の残勤務時間、作業者の動作量、作業者の在席の連続時間及び作業者の在席の累積時間のうち少なくとも１つに適した覚醒度等関連情報の範囲とともに、加工情報を報知することができる。
【００５３】
請求項１６に係る報知システムは、請求項１２から１５のいずれかに記載の報知システムであって、第３検知部は、作業者の状態として、作業者の周囲の環境を検知する。
【００５４】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。第３検知部が、作業者の状態として、作業者の周囲の環境を検知する。決定部が、作業者の状態の情報を受け取ることができる。決定部が、作業者の状態に基づいて、好適範囲を決定する。報知部が、加工情報を受け取ることができる。報知部が、好適範囲の情報を受け取ることができる。報知部が、加工情報を好適範囲とともに対象作業者へ報知する。
【００５５】
したがって、作業者の周囲の環境に適した覚醒度等関連情報の範囲とともに、加工情報を報知することができる。
【００５６】
請求項１７に係る報知システムは、請求項１２から１６のいずれかに記載の報知システムであって、集中管理部をさらに備える。集中管理部は、複数の作業者のうち少なくとも報知作業者群について、少なくとも覚醒度等関連情報をネットワーク経由で集中的に管理する。受信部は、報知作業者群におけるそれぞれの作業者の状態の情報と対象作業者の覚醒度等関連情報と別の作業者の覚醒度等関連情報とをネットワーク経由で受信する。受信部は、報知作業者群におけるそれぞれの作業者の状態の情報と対象作業者の覚醒度等関連情報と別の作業者の覚醒度等関連情報とを集中管理部へ渡す。集中管理部には、第２アドバイスが入力される。第２アドバイスは、対象作業者の覚醒度等関連情報に対する作業者の状態に基づく第三者のアドバイスである。報知部は、第２アドバイスを対象作業者へさらに報知する。
【００５７】
この報知システムでは、第１検知部が、覚醒度等関連情報を検知する。対象作業者の存在を、別の作業者と区別して検知することができる。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。対象作業者の存在と覚醒度等関連情報とを関連付けることができる。第３検知部が、作業者の状態を検知する。受信部が、報知作業者群におけるそれぞれの作業者の状態の情報と別の作業者の覚醒度等関連情報とをネットワーク経由で受信する。受信部が、報知作業者群におけるそれぞれの作業者の状態の情報と別の作業者の覚醒度等関連情報とを集中管理部へ渡す。集中管理部に、第２アドバイスが入力される。第２アドバイスが、対象作業者の覚醒度等関連情報に対する作業者の状態に基づく第三者のアドバイスである。報知部が、第２アドバイスを対象作業者へさらに報知する。
【００５８】
したがって、集中管理部に入力された第２アドバイスをさらに報知するので、作業者の覚醒度等を好適範囲に近づけることをさらに容易にすることができる。
【００５９】
請求項１８に係る報知システムは、請求項１２から１６のいずれかに記載の報知システムであって、集中管理部をさらに備える。集中管理部は、複数の作業者のうち少なくとも報知作業者群について、少なくとも覚醒度等関連情報をネットワーク経由で集中的に管理する。受信部は、報知作業者群におけるそれぞれの作業者の状態の情報と対象作業者の覚醒度等関連情報と別の作業者の覚醒度等関連情報とをネットワーク経由で受信する。受信部は、報知作業者群におけるそれぞれの作業者の状態の情報と対象作業者の覚醒度等関連情報と別の作業者の覚醒度等関連情報とを集中管理部へ渡す。集中管理部は、第２アドバイスを選択する。第２アドバイスは、対象作業者の覚醒度等関連情報に対する作業者の状態に基づく第三者のアドバイスである。報知部は、第２アドバイスを対象作業者へさらに報知する。
【００６０】
この報知システムでは、第１検知部が、覚醒度等関連情報を検知する。対象作業者の存在を、別の作業者と区別して検知することができる。受信部が、対象作業者の覚醒度等関連情報をネットワーク経由で受信する。受信部が、対象作業者の覚醒度等関連情報を集中管理部へ渡す。集中管理部が、複数の作業者のうち少なくとも報知作業者群について、少なくとも覚醒度等関連情報をネットワーク経由で集中的に管理する。対象作業者の存在と覚醒度等関連情報とを関連付けることができる。第３検知部が、作業者の状態を検知する。受信部が、報知作業者群におけるそれぞれの作業者の状態の情報と別の作業者の覚醒度等関連情報とをネットワーク経由で受信する。受信部が、報知作業者群におけるそれぞれの作業者の状態の情報と別の作業者の覚醒度等関連情報とを集中管理部へ渡す。集中管理部が、第２アドバイスを選択する。第２アドバイスが、対象作業者の覚醒度等関連情報に対する作業者の状態に基づく第三者のアドバイスである。報知部が、第２アドバイスを対象作業者へさらに報知する。
【００６１】
したがって、集中管理部が選択した第２アドバイスをさらに報知するので、作業者の覚醒度等を好適範囲に近づけることをさらに容易にすることができる。
【００６２】
請求項１９に係る報知システムは、請求項１２から１８のいずれかに記載の報知システムであって、第３相関関係記憶部をさらに備える。第３相関関係記憶部は、覚醒度等関連情報と好適範囲との相関関係を作業者毎に記憶する。
【００６３】
この報知システムでは、第１検知部が、覚醒度等関連情報を検知する。対象作業者の存在を、別の作業者と区別して検知することができる。対象作業者の存在と覚醒度等関連情報とを関連付けることができる。第３相関関係記憶部が、覚醒度等関連情報と作業者の存在の情報とを受け取ることができる。決定部が、作業者の状態に基づいて、好適範囲を決定する。第３相関関係記憶部が、好適範囲の情報を受け取ることができる。第３相関関係記憶部が、覚醒度等関連情報と好適範囲との相関関係を作業者毎に記憶する。
【００６４】
したがって、覚醒度等関連情報と好適範囲との相関関係を作業者毎に記憶しているので、対象作業者に適した好適範囲とともに、加工情報を報知することができる。
【００６５】
請求項２０に係る報知システムは、請求項１２から１９のいずれかに記載の報知システムであって、第３相関関係記憶部をさらに備える。第３相関関係記憶部は、覚醒度等関連情報と好適範囲との相関関係を作業者の状態毎に記憶する。
【００６６】
この報知システムでは、第１検知部が、覚醒度等関連情報と作業者の状態の情報とを検知する。第３検知部が、作業者の状態を検知する。第３相関関係記憶部が、覚醒度等関連情報を受け取ることができる。決定部が、作業者の状態に基づいて、好適範囲を決定する。第３相関関係記憶部が、好適範囲の情報を受け取ることができる。第３相関関係記憶部が、作業者の状態の情報を受け取ることができる。第３相関関係記憶部が、覚醒度等関連情報と好適範囲との相関関係を、作業者の状態毎に記憶する。
【００６７】
したがって、覚醒度等関連情報と好適範囲との相関関係を作業者の状態毎に記憶しているので、作業者の状態に適した好適範囲とともに、加工情報を報知することができる。
【００６８】
請求項２１に係る報知システムは、請求項１２から２０のいずれかに記載の報知システムであって、第２入力部をさらに備える。第２入力部には、第２申告情報が入力される。第２申告情報は、好適範囲に関する作業者の主観である。
【００６９】
この報知システムでは、第１検知部が、覚醒度等関連情報を検知する。対象作業者の存在を、別の作業者と区別して検知することができる。対象作業者の存在と覚醒度等関連情報とを関連付けることができる。受信部が、少なくとも別の作業者の覚醒度等関連情報をネットワーク経由で受信する。対象作業者の覚醒度等関連情報と別の作業者の覚醒度等関連情報とに基づいて、加工情報を生成することができる。第２入力部に、第２申告情報が入力される。報知部が、加工情報を受け取ることができる。報知部が、第２申告情報を好適範囲の情報として受け取ることができる。報知部が、加工情報を好適範囲とともに対象作業者へ報知する。
【００７０】
したがって、第２申告情報が入力されるので、好適範囲を作業者の好みに応じて設定することができる。
【００７１】
請求項２２に係る報知システムは、請求項１２から２１のいずれかに記載の報知システムであって、第３入力部をさらに備える。第３入力部には、第３申告情報が入力される。第３申告情報は、作業者の状態に関する作業者の主観である。
【００７２】
この報知システムでは、第３入力部に、第３申告情報が入力される。決定部が、第３申告情報を作業者の状態の情報として受け取ることができる。決定部が、作業者の状態に基づいて、好適範囲を決定する。
【００７３】
したがって、第３申告情報が入力されるので、作業者の状態を確実に把握することができる。
【００７４】
請求項２３に係る報知システムは、請求項１２から２２のいずれかに記載の報知システムであって、第４検知部をさらに備える。第４検知部は、作業者の作業の成績を検知する。決定部は、作業者の状態と作業者の作業の成績とに基づいて、好適範囲を決定する。
【００７５】
この報知システムでは、第３検知部が、作業者の状態を検知する。第４検知部が、作業者の作業の成績を検知する。決定部が、作業者の状態の情報と作業者の作業の成績の情報とを受け取ることができる。決定部が、作業者の状態と作業者の作業の成績とに基づいて、好適範囲を決定する。
【００７６】
したがって、作業者の状態と作業者の作業の成績とに基づいて好適範囲を決めるので、好適範囲を正確に決めることができる。
【００７７】
請求項２４に係る報知システムは、請求項２３に記載の報知システムであって、第４入力部をさらに備える。第４入力部には、第４申告情報が入力される。第４申告情報は、作業者の作業の成績に関する作業者の主観である。
【００７８】
この報知システムでは、第３検知部が、作業者の状態を検知する。第４入力部に、第４申告情報が入力される。決定部が、作業者の状態の情報を受け取ることができる。決定部が、第４申告情報を作業者の作業の成績の情報として受け取ることができる。決定部が、作業者の状態と作業者の作業の成績とに基づいて、好適範囲を決定する。
【００７９】
したがって、第４申告情報が入力されるので、作業者の作業の成績を確実に把握することができる。
【００８０】
請求項２５に係る報知プログラムは、対象作業者へコンピュータに報知させる報知プログラムであって、検知ステップと受信ステップと報知ステップとを備える。対象作業者は、複数の作業者のうちいずれかの作業者である。検知ステップでは、覚醒度等関連情報が検知される。覚醒度等関連情報は、作業者の覚醒度等に関する情報である。受信ステップでは、少なくとも別の作業者の覚醒度等関連情報がネットワーク経由で受信される。別の作業者は、複数の作業者のうち対象作業者以外の１以上の作業者である。報知ステップでは、加工情報が対象作業者へ報知される。加工情報は、覚醒度等関連情報に基づいて加工された情報であり、対象作業者に関する情報と報知作業者群に関する情報とを比較し得る情報である。報知作業者群は、別の作業者を含む。
【００８１】
この報知プログラムでは、検知ステップにおいて、覚醒度等関連情報が検知される。対象作業者の存在が、別の作業者と区別して検知される。対象作業者の存在と覚醒度等関連情報とが関連付けられる。受信ステップにおいて、少なくとも別の作業者の覚醒度等関連情報がネットワーク経由で受信される。対象作業者の覚醒度等関連情報と別の作業者の覚醒度等関連情報とに基づいて、加工情報が生成され得る。報知ステップにおいて、加工情報が受け取られ得る。報知ステップにおいて、加工情報が対象作業者へ報知される。
【００８２】
したがって、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【００８３】
なお、報知作業者群の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。
【発明の効果】
【００８４】
請求項１に係る報知システムでは、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【００８５】
請求項２に係る報知システムでは、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【００８６】
請求項３に係る報知システムでは、覚醒度等関連情報に基づいて、加工情報を詳細に生成することができる。
【００８７】
請求項４に係る報知システムでは、加工情報を表示することにより対象作業者へ報知する、あるいは加工情報を音声で知らせることにより対象作業者へ報知するので、覚醒度等関連情報について対象作業者と別の作業者とを比較することを容易にすることができる。
【００８８】
請求項５に係る報知システムでは、別の作業者の覚醒度等関連情報を集中管理部経由で受け取るので、別の作業者の覚醒度等関連情報を効率よく受け取ることができる。
【００８９】
請求項６に係る報知システムでは、加工情報の生成を集中管理部側で行うので、加工情報を効率的に生成することができる。
【００９０】
請求項７に係る報知システムでは、報知の処理を集中管理部側で行うので、加工情報を効率的に報知することができる。
【００９１】
請求項８に係る報知システムでは、集中管理部に入力された第１アドバイスをさらに報知するので、作業者の覚醒度等を改善することをさらに容易にすることができる。
【００９２】
請求項９に係る報知システムでは、集中管理部が選択した第１アドバイスをさらに報知するので、作業者の覚醒度等を改善することをさらに容易にすることができる。
【００９３】
請求項１０に係る報知システムでは、第１申告情報が入力されるので、覚醒度等関連情報を確実に把握することができる。
【００９４】
請求項１１に係る報知システムでは、第１検知部が検知した覚醒度等関連情報と第１入力部に入力された第１申告情報との相関関係を作業者毎に記憶するので、覚醒度等の個人差を把握することができる。
【００９５】
請求項１２に係る報知システムでは、覚醒度等関連情報と好適範囲との関係を把握することができるため、作業者の覚醒度等を好適範囲に近づけることができる。このため、作業者の生産性を向上することができる。
【００９６】
請求項１３に係る報知システムでは、覚醒度等関連情報に基づいて、加工情報を詳細に生成することができる。
【００９７】
請求項１４に係る報知システムでは、作業者の作業の種類に適した覚醒度等関連情報の範囲とともに、加工情報を報知することができる。
【００９８】
請求項１５に係る報知システムでは、作業者の作業の経過時間、作業者の作業の残勤務時間、作業者の動作量、作業者の在席の連続時間及び作業者の在席の累積時間のうち少なくとも１つに適した覚醒度等関連情報の範囲とともに、加工情報を報知することができる。
【００９９】
請求項１６に係る報知システムでは、作業者の周囲の環境に適した覚醒度等関連情報の範囲とともに、加工情報を報知することができる。
【０１００】
請求項１７に係る報知システムでは、集中管理部に入力された第２アドバイスをさらに報知するので、作業者の覚醒度等を好適範囲に近づけることをさらに容易にすることができる。
【０１０１】
請求項１８に係る報知システムでは、集中管理部が選択した第２アドバイスをさらに報知するので、作業者の覚醒度等を好適範囲に近づけることをさらに容易にすることができる。
【０１０２】
請求項１９に係る報知システムでは、覚醒度等関連情報と好適範囲との相関関係を作業者毎に記憶しているので、対象作業者に適した好適範囲とともに、加工情報を報知することができる。
【０１０３】
請求項２０に係る報知システムでは、覚醒度等関連情報と好適範囲との相関関係を作業者の状態毎に記憶しているので、作業者の状態に適した好適範囲とともに、加工情報を報知することができる。
【０１０４】
請求項２１に係る報知システムでは、第２申告情報が入力されるので、好適範囲を作業者の好みに応じて設定することができる。
【０１０５】
請求項２２に係る報知システムでは、第３申告情報が入力されるので、作業者の状態を確実に把握することができる。
【０１０６】
請求項２３に係る報知システムでは、作業者の状態と作業者の作業の成績とに基づいて好適範囲を決めるので、好適範囲を正確に決めることができる。
【０１０７】
請求項２４に係る報知システムでは、第４申告情報が入力されるので、作業者の作業の成績を確実に把握することができる。
【０１０８】
請求項２５に係る報知プログラムでは、覚醒度等関連情報について対象作業者と別の作業者とを比較することができるため、対象作業者の覚醒度等が適度な値でない場合に、その原因が対象作業者の個人的な原因であるのか対象作業者と別の作業者とに共通した原因であるのかを判断することができる。このため、作業者の覚醒度等を改善することが容易になるため、作業者の生産性を向上することができる。
【発明を実施するための最良の形態】
【０１０９】
［第１実施形態］
本発明の第１実施形態に係る報知システム１の構成図を図１〜図３に示す。図１に示す報知システム１は、主として対象作業者Ｐａ，Ｐｂ，・・・へ報知するためのシステムである。対象作業者Ｐａ，Ｐｂ，・・・は、複数の作業者Ｐａ，Ｐｂ，・・・のうちいずれかの作業者である。
【０１１０】
＜報知システム１の全体構成＞
図１に示す報知システム１は、主として管理センタ１０，端末装置群４０（４０ａ，４０ｂ，・・・）及びネットワーク８０を備える。管理センタ１０と端末装置群４０（４０ａ，４０ｂ，・・・）とは、ネットワーク８０で接続されている。なお、端末装置４０ａ，４０ｂ，・・・は、それぞれ、対象作業者Ｐａ，Ｐｂ，・・・が使用する端末装置である。
【０１１１】
＜管理センタ１０の構成＞
図１に示す管理センタ１０は、図２に示すように、主として送受信部１１，集中管理部１２，生成部１３，報知部１５及び第１相関関係記憶部１７を備える。
【０１１２】
図２に示す送受信部１１が、対象作業者Ｐａの覚醒度等関連情報（図５参照）と別の作業者Ｐｂ，・・・の覚醒度等関連情報（図５参照）とをネットワーク８０経由で受信する。ここで、覚醒度等関連情報（図５参照）は、作業者の覚醒度に関する情報である。送受信部１１が、対象作業者Ｐａの覚醒度等関連情報（図５参照）と別の作業者Ｐｂ，・・・の覚醒度等関連情報（図５参照）とを集中管理部１２へ渡す。集中管理部１２が、複数の作業者Ｐａ，Ｐｂ，・・・のうち報知作業者群（Ｐａ，Ｐｂ，・・・）について、覚醒度等関連情報（図５参照）をネットワーク８０経由で集中的に管理する。ここで、報知作業者群（Ｐａ，Ｐｂ，・・・）は、対象作業者Ｐａへ報知する対象となる作業者群であり、対象作業者Ｐａと別の作業者Ｐｂ，・・・とを含む。
【０１１３】
第１相関関係記憶部１７が、対象作業者Ｐａの存在の情報と覚醒度等関連情報（図５参照）とを集中管理部１２から受け取る。第１相関関係記憶部１７が、対象作業者Ｐａの存在と覚醒度等関連情報（図５参照）との相関関係（図６参照）を記憶する。これにより、対象作業者Ｐａの存在と覚醒度等関連情報（図５参照）とが関連付けられる。生成部１３が、対象作業者Ｐａの覚醒度等関連情報（図５参照）と別の作業者Ｐｂ，・・・の覚醒度等関連情報（図５参照）とを集中管理部１２から受け取る。生成部１３が、対象作業者Ｐａの覚醒度等関連情報（図５参照）と別の作業者Ｐｂ，・・・の覚醒度等関連情報（図５参照）とに基づいて、加工情報（図７参照）を生成する。ここで、加工情報（図７参照）は、覚醒度等関連情報（図５参照）に基づいて加工された情報であり、報知作業者群（Ｐａ，Ｐｂ，・・・）に関する情報である。報知部１５が、加工情報（図７参照）を生成部１３から受け取り、加工情報（図７参照）を報知するための制御信号を生成する。報知部１５が、制御信号を送受信部１１へ渡す。送受信部１１が、制御信号をネットワーク８０経由で端末装置４０ａへ送信する。すなわち、報知部１５が、加工情報（図７参照）を、送受信部１１とネットワーク８０とを経由して対象作業者Ｐａへ報知する。以上は、作業者Ｐａが対象作業者である場合における管理センタ１０の作用である。なお、他の作業者Ｐｂ，・・・が対象作業者である場合も同様である。
【０１１４】
＜端末装置群４０（４０ａ，４０ｂ，・・・）の構成＞
図１に示す端末装置４０ａは、図３に示すように、主として送受信部４１ａ，制御部４２ａ，報知部４３ａ，第１検知部４４ａ及び第２検知部４５ａを備える。
【０１１５】
図３に示す第１検知部４４ａが、覚醒度等関連情報（図５参照）を検知する。第１検知部４４ａは、例えば、対象作業者Ｐａの心電波形（図示せず）を計測し、心電波形において鋭いピークを示すＲ波を検知する。ここで、心電波形とは、対象作業者Ｐａの心臓の電位の時間的な変化を、対象作業者Ｐａに接触して又は非接触で計測したものである。第１検知部４４ａは、Ｒ波の間隔の時間的な変化を周波数解析して、Ｒ波の間隔の変動のスペクトル９１ａ（図５参照）すなわち覚醒度等関連情報（図５参照）を得る。制御部４２ａが、覚醒度等関連情報（図５参照）を第１検知部４４ａから受け取る。第２検知部４５ａが、対象作業者Ｐａの存在を別の作業者Ｐｂ，・・・と区別して検知する。制御部４２ａが、対象作業者Ｐａの存在の情報を第２検知部４５ａから受け取る。制御部４２ａが、覚醒度等関連情報（図５参照）と対象作業者Ｐａの存在の情報とを送受信部４１ａへ渡す。送受信部４１ａが、覚醒度等関連情報（図５参照）と対象作業者Ｐａの存在の情報とを、対象作業者Ｐａの覚醒度等関連情報（図５参照）としてネットワーク８０経由で送信する。
【０１１６】
送受信部４１ａが、制御信号を、管理センタ１０からネットワーク８０経由で受信する。制御部４２ａが、制御信号を、送受信部４１ａから受け取り、報知部４３ａへ渡す。報知部４３ａが、制御信号に従って、対象作業者Ｐａへ報知する。すなわち、加工情報（図７参照）が端末装置４０ａの表示画面（図示せず）に映し出される。
【０１１７】
他の端末装置４０ｂ，・・・も、端末装置４０ａと同様である。
【０１１８】
＜覚醒度等関連情報の構成＞
図５に示すスペクトル９１ａ、すなわち覚醒度等関連情報は、作業者Ｐａの覚醒度に関する情報である。図５に示すスペクトル９１ａ、すなわち覚醒度等関連情報において、縦軸はＰＳＤ（Ｐｏｗｅｒ  Ｓｐｅｃｔｒｅ  Ｄｅｎｓｉｔｙ；パワースペクトル密度）であり、横軸は周波数である。図５に示すスペクトル９１ａ、すなわち覚醒度等関連情報において、０．１Ｈｚ前後のピークがＭＷＳＡ（Ｍａｙｅｒ  Ｗａｖｅ  ｒｅｌａｔｅｄ  Ｓｉｎｕｓ  Ａｒｒｈｙｔｈｍｉａ；血圧性変動）と一般に呼ばれ、そのＰＳＤ強度が交感神経と副交感神経との活動レベルの大きさを示す。また、０．３Ｈｚ前後のピークがＲＳＡ（Ｒｅｓｐｉｒａｔｏｒｙ  ｒｅｌａｔｅｄ  Ｓｉｎｕｓ  Ａｒｒｈｙｔｈｍｉａ；呼吸性変動）と一般に呼ばれ、そのＰＳＤ強度が副交感神経の活動レベルの大きさを示す。
【０１１９】
スペクトル９１ｂ，・・・、すなわち作業者Ｐｂ，・・・の覚醒度等関連情報も、スペクトル９１ａと同様である。
【０１２０】
＜第１相関関係記憶部１７の構成＞
図２に示す第１相関関係記憶部１７は、図６に示すように、主として作業者１７１と覚醒度等関連情報１７２とを備える。
【０１２１】
作業者１７１は、対象作業者Ｐａを別の作業者Ｐｂ，・・・と区別するための情報である。覚醒度等関連情報１７２は、覚醒度に関する情報である。例えば、図６に示す相関関係が参照されることにより、対象作業者Ｐａの覚醒度等関連情報がグラフ９１ａ（図５参照）であることが決められる。
【０１２２】
＜加工情報の構成＞
図２に示す生成部１３が生成する加工情報は、例えば、図７に示すグラフ９２ａ，９２ｂ，・・・，９３ａ，９３ｂ，・・・である。
【０１２３】
グラフ９２ａは、作業者Ｐａの覚醒度等関連情報（図５参照）を加工したものであり、スペクトル９１ａ（図５参照）のＭＷＳＡのＰＳＤ強度を棒グラフで示したものである。グラフ９２ａにおいて、縦軸が活動レベルを示し、横軸が「交感＆副交感活動」を示している。グラフ９２ｂは、作業者Ｐｂの覚醒度等関連情報（図５参照）を加工したものであり、スペクトル９１ｂ（図５参照）のＭＷＳＡのＰＳＤ強度を棒グラフで示したものである。グラフ９２ｂにおいて、縦軸が活動レベルを示し、横軸が「交感＆副交感活動」を示している。グラフ９３ａは、作業者Ｐａの覚醒度等関連情報（図５参照）を加工したものであり、スペクトル９１ａ（図５参照）のＲＳＡのＰＳＤ強度を棒グラフで示したものである。グラフ９３ａにおいて、縦軸が活動レベルを示し、横軸が「副交感活動」を示している。グラフ９３ｂは、作業者Ｐｂの覚醒度等関連情報（図５参照）を加工したものであり、スペクトル９１ｂ（図５参照）のＲＳＡのＰＳＤ強度を棒グラフで示したものである。グラフ９３ｂにおいて、縦軸が活動レベルを示し、横軸が「副交感活動」を示している。
【０１２４】
＜報知システム１が対象作業者Ｐａ，Ｐｂ，・・・へ報知する処理の流れ＞
図１に示す報知システム１が対象作業者Ｐａ，Ｐｂ，・・・へ報知する処理の流れを、図４に示すフローチャートを用いて説明する。ここでは、報知システム１が対象作業者Ｐａへ報知する場合について説明する。報知システム１が対象作業者Ｐｂ，・・・へ報知する場合についても同様である。
【０１２５】
図４に示すステップＳ１では、覚醒度が検知される。すなわち、図３に示す端末装置４０ａの第１検知部４４ａにより、覚醒度等関連情報（図５参照）が検知される。制御部４２ａにより、覚醒度等関連情報（図５参照）が第１検知部４４ａから受け取られる。同様に、端末装置４０ｂ，・・・（図示せず）の第１検知部４４ｂ，・・・（図示せず）により、覚醒度等関連情報（図５参照）が検知される。制御部４２ｂ，・・・（図示せず）により、覚醒度等関連情報（図５参照）が第１検知部４４ｂ，・・・（図示せず）から受け取られる。
【０１２６】
図４に示すステップＳ２では、作業者の存在が検知される。すなわち、図３に示す端末装置４０ａの第２検知部４５ａにより、対象作業者Ｐａの存在が別の作業者Ｐｂ，・・・と区別して検知される。制御部４２ａにより、対象作業者Ｐａの存在の情報が第２検知部４５ａから受け取られる。同様に、端末装置４０ｂ，・・・（図示せず）の第２検知部４５ｂ，・・・（図示せず）により、別の作業者Ｐｂ，・・・の存在が対象作業者Ｐａと区別して検知される。制御部４２ｂ，・・・（図示せず）により、別の作業者Ｐｂ，・・・の存在の情報が第２検知部４５ｂ，・・・（図示せず）から受け取られる。
【０１２７】
図４に示すステップＳ３では、対象作業者の存在と覚醒度等関連情報との相関関係が記憶される。すなわち、図３に示す端末装置４０ａの制御部４２ａにより、覚醒度等関連情報（図５参照）と対象作業者Ｐａの存在の情報とが送受信部４１ａへ渡される。送受信部４１ａにより、覚醒度等関連情報（図５参照）と対象作業者Ｐａの存在の情報とが、対象作業者Ｐａの覚醒度等関連情報（図５参照）としてネットワーク８０経由で送信される。同様にして、端末装置４０ｂ，・・・（図示せず）の送受信部４１ｂ，・・・（図示せず）により、覚醒度等関連情報（図５参照）と別の作業者Ｐｂ，・・・の存在の情報とが、別の作業者Ｐｂ，・・・の覚醒度等関連情報（図５参照）としてネットワーク８０経由で送信される。
【０１２８】
図２に示す管理センタ１０の送受信部１１により、対象作業者Ｐａの覚醒度等関連情報（図５参照）と別の作業者Ｐｂ，・・・の覚醒度等関連情報（図５参照）とが、ネットワーク８０経由で受信される。送受信部１１により、対象作業者Ｐａの覚醒度等関連情報（図５参照）と別の作業者Ｐｂ，・・・の覚醒度等関連情報（図５参照）とが、集中管理部１２へ渡される。集中管理部１２により、複数の作業者Ｐａ，Ｐｂ，・・・のうち報知作業者群（Ｐａ，Ｐｂ，・・・）について、覚醒度等関連情報（図５参照）がネットワーク８０経由で集中的に管理される。ここで、報知作業者群（Ｐａ，Ｐｂ，・・・）は、対象作業者Ｐａへ報知する対象となる作業者群であり、対象作業者Ｐａと別の作業者Ｐｂ，・・・とが含まれる。第１相関関係記憶部１７により、対象作業者Ｐａの存在の情報と覚醒度等関連情報（図５参照）とが集中管理部１２から受け取られる。第１相関関係記憶部１７により、対象作業者Ｐａの存在と覚醒度等関連情報（図５参照）との相関関係（図４参照）が記憶される。これにより、対象作業者Ｐａの存在と覚醒度等関連情報（図５参照）とが関連付けられる。
【０１２９】
図４に示すステップＳ４では、加工情報が生成される。すなわち、図２に示す管理センタ１０の生成部１３により、対象作業者Ｐａの覚醒度等関連情報（図５参照）と別の作業者Ｐｂ，・・・の覚醒度等関連情報（図５参照）とが、集中管理部１２から受け取られる。対象作業者Ｐａの覚醒度等関連情報（図５参照）は、例えば、スペクトル９１ａ（図５参照）である。別の作業者Ｐｂ，・・・の覚醒度等関連情報（図５参照）は、例えば、スペクトル９１ｂ，・・・（図５参照）である。生成部１３により、対象作業者Ｐａの覚醒度等関連情報（図５参照）と別の作業者Ｐｂ，・・・の覚醒度等関連情報（図５参照）とに基づいて、加工情報（図７参照）が生成される。ここで、加工情報（図７参照）は、覚醒度等関連情報（図５参照）に基づいて加工された情報であり、報知作業者群（Ｐａ，Ｐｂ，・・・）に関する情報である。加工情報は、例えば、９２ａ，９２ｂ，・・・，９３ａ，９３ｂ，・・・（図７参照）である。
【０１３０】
図４に示すステップＳ５では、報知がなされる。すなわち、図２に示す管理センタ１０の報知部１５により、加工情報が生成部１３から受け取られ、加工情報を報知するための制御信号が生成される。報知部１５により、制御信号が送受信部１１へ渡される。送受信部１１により、制御信号がネットワーク８０を経由して端末装置４０ａへ送信される。図３に示す端末装置４０ａの送受信部４１ａにより、制御信号が、管理センタ１０からネットワーク８０経由で受信される。制御部４２ａにより、制御信号が、送受信部４１ａから受け取られ、報知部４３ａへ渡される。報知部４３ａにより、制御信号に従って、対象作業者Ｐａへ報知される。すなわち、図２に示す管理センタ１０の報知部１５により、加工情報が、送受信部１１とネットワーク８０と送受信部４１ａ（図３参照）と制御部４２ａ（図３参照）と報知部４３ａ（図３参照）とを経由して、対象作業者Ｐａへ報知される。具体的には、加工情報（図７参照）が管理センタ１０の表示画面（図示せず）に映し出される。
【０１３１】
＜報知システム１に関する特徴＞
（１）
ここでは、図３に示す端末装置４０ａの第１検知部４４ａが、覚醒度等関連情報（図５参照）を検知する。第２検知部４５ａが、対象作業者Ｐａの存在を別の作業者Ｐｂ，・・・と区別して検知する。図２に示す管理センタ１０の送受信部１１が、対象作業者Ｐａの覚醒度等関連情報（図５参照）をネットワーク８０経由で受信する。第１相関関係記憶部１７が、対象作業者Ｐａの存在の情報と覚醒度等関連情報（図５参照）とを、集中管理部１２経由で送受信部１１から受け取る。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。送受信部１１が、別の作業者Ｐｂ，・・・の覚醒度等関連情報（図５参照）をネットワーク８０経由で受信する。生成部１３が、対象作業者Ｐａの覚醒度等関連情報（図５参照）と別の作業者Ｐｂ，・・・の覚醒度等関連情報（図５参照）とを集中管理部１２から受け取る。生成部１３が、対象作業者Ｐａの覚醒度等関連情報（図５参照）と別の作業者Ｐｂ，・・・の覚醒度等関連情報（図５参照）とに基づいて、加工情報（図７参照）を生成する。報知部１５が、加工情報（図７参照）を生成部１３から受け取る。報知部１５が、加工情報（図７参照）を、送受信部１１とネットワーク８０と送受信部４１ａ（図３参照）と制御部４２ａ（図３参照）とを経由して対象作業者Ｐａへ報知する。
【０１３２】
したがって、覚醒度等関連情報（図５参照）について対象作業者Ｐａと別の作業者Ｐｂ，・・・とを比較することが可能であるため、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者となる場合も同様である。このため、作業者Ｐａ，Ｐｂ，・・・の覚醒度を改善することが容易になるため、作業者Ｐａ，Ｐｂ，・・・の生産性が向上する。
【０１３３】
（２）
ここでは、図３に示す端末装置４０ａの第１検知部４４ａが、覚醒度等関連情報（図５参照）を検知する。覚醒度等関連情報（図５参照）が、作業者の生理活動に関する情報である。第２検知部４５ａが、対象作業者Ｐａの存在を別の作業者Ｐｂ，・・・と区別して検知する。図２に示す管理センタ１０の送受信部１１が、対象作業者Ｐａの覚醒度等関連情報（図５参照）をネットワーク８０経由で受信する。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。送受信部１１が、別の作業者Ｐｂ，・・・の覚醒度等関連情報（図５参照）をネットワーク８０経由で受信する。生成部１３が、対象作業者Ｐａの覚醒度等関連情報（図５参照）と別の作業者Ｐｂ，・・・の覚醒度等関連情報（図５参照）とに基づいて、加工情報（図７参照）を生成する。加工情報（図７参照）が、報知作業者群（Ｐａ，Ｐｂ，・・・）におけるそれぞれの作業者Ｐａ，Ｐｂ，・・・の生理活動のレベルである。
【０１３４】
したがって、覚醒度等関連情報（図５参照）に基づいて、加工情報（図７参照）が詳細に生成される。なお、他の作業者Ｐｂ，・・・が対象作業者となる場合も同様である。
【０１３５】
（３）
ここでは、図３に示す端末装置４０ａの第１検知部４４ａが、覚醒度等関連情報（図５参照）を検知する。第２検知部４５ａが、対象作業者Ｐａの存在を別の作業者Ｐｂ，・・・と区別して検知する。図２に示す管理センタ１０の送受信部１１が、対象作業者Ｐａの覚醒度等関連情報（図５参照）をネットワーク８０経由で受信する。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。送受信部１１が、別の作業者Ｐｂ，・・・の覚醒度等関連情報（図５参照）をネットワーク８０経由で受信する。生成部１３が、対象作業者Ｐａの覚醒度等関連情報（図５参照）と別の作業者Ｐｂ，・・・の覚醒度等関連情報（図５参照）とに基づいて、加工情報（図７参照）を生成する。報知部１５が、加工情報（図７参照）を生成部１３から受け取る。報知部１５が、加工情報（図７参照）を、端末装置４０ａの表示画面（図示せず）に映し出すことにより、送受信部１１とネットワーク８０と送受信部４１ａ（図３参照）と制御部４２ａ（図３参照）とを経由して対象作業者Ｐａへ報知する。
【０１３６】
したがって、加工情報（図７参照）を表示することにより対象作業者Ｐａへ報知するので、覚醒度等関連情報（図５参照）について対象作業者Ｐａと別の作業者Ｐｂ，・・・とを比較することが容易になる。なお、他の作業者Ｐｂ，・・・が対象作業者となる場合も同様である。
【０１３７】
（４）
ここでは、図３に示す端末装置４０ａの第１検知部４４ａが、覚醒度等関連情報（図５参照）を検知する。第２検知部４５ａが、対象作業者Ｐａの存在を別の作業者Ｐｂ，・・・と区別して検知する。図２に示す管理センタ１０の送受信部１１が、対象作業者Ｐａの覚醒度等関連情報（図５参照）をネットワーク８０経由で受信する。送受信部１１が、対象作業者Ｐａの覚醒度等関連情報（図５参照）を集中管理部１２へ渡す。集中管理部１２が、報知作業者群（Ｐａ，Ｐｂ，・・・）について、覚醒度等関連情報（図５参照）をネットワーク８０経由で集中的に管理する。第１相関関係記憶部１７が、対象作業者Ｐａの存在の情報と覚醒度等関連情報（図５参照）とを集中管理部１２から受け取る。第１相関関係記憶部１７が、対象作業者Ｐａの存在と覚醒度等関連情報（図５参照）との相関関係を記憶する。これにより、対象作業者Ｐａの存在と覚醒度等関連情報（図５参照）とが関連付けられる。送受信部１１が、別の作業者Ｐｂ，・・・の覚醒度等関連情報（図５参照）をネットワーク８０経由で受信する。送受信部１１が、別の作業者Ｐｂ，・・・の覚醒度等関連情報（図５参照）を集中管理部１２へ渡す。生成部１３が、対象作業者Ｐａの覚醒度等関連情報（図５参照）と別の作業者Ｐｂ，・・・の覚醒度等関連情報（図５参照）とを、集中管理部１２経由で第１相関関係記憶部１７から受け取る。生成部１３が、対象作業者Ｐａの覚醒度等関連情報（図５参照）と別の作業者Ｐｂ，・・・の覚醒度等関連情報（図５参照）とに基づいて、加工情報（図７参照）を生成する。報知部１５が、加工情報（図７参照）を生成部１３から受け取る。報知部１５が、加工情報（図７参照）をネットワーク８０経由で対象作業者Ｐａへ報知する。
【０１３８】
したがって、報知の処理を管理センタ１０で行うので、加工情報（図７参照）が効率的に報知される。なお、他の作業者Ｐｂ，・・・が対象作業者となる場合も同様である。
【０１３９】
＜第１実施形態の変形例＞
（Ａ）報知作業者群（Ｐａ，Ｐｂ，・・・）の範囲は、例えば、全社であってもよいし、事業所全体であってもよいし、部門全体であってもよいし、複数の会社全体であってもよいし、複数の事業所全体であってもよいし、複数の部門全体であってもよいし、ビル全体であってもよいし、複数のビル全体であってもよいし、どのような範囲であってもよい。覚醒度等関連情報は、作業者Ｐａ，・・・の覚醒度、作業者Ｐａ，・・・の疲労度及び作業者Ｐａ，・・・のストレス度の少なくとも１つに関する情報であってもよい。覚醒度等関連情報（図５参照）として、交感神経及び副交感神経の活動以外に関する情報を用いてもよい。覚醒度等関連情報（図５参照）として、例えば、心拍、脳波、脈拍などに関する情報を用いてもよい。報知部１５は、加工情報（図７参照）を、端末装置４０ａから音声で知らせることにより、送受信部１１とネットワーク８０と送受信部４１ａ（図３参照）と制御部４２ａ（図３参照）とを経由して対象作業者Ｐａへ報知してもよい。送受信部１１は、送信部１１ａと受信部１１ｂとを備えていてもよい。送受信部４１ａ，・・・は、送信部４１ａａ，・・・と受信部４１ａｂ，・・・とを備えていてもよい。他の作業者Ｐｂ，・・・が対象作業者である場合も同様である。
【０１４０】
（Ｂ）加工情報（図７参照）は、報知作業者群（Ｐａ，Ｐｂ，・・・）におけるそれぞれの作業者Ｐａ，Ｐｂ，・・・の生理活動のレベルでなくてもよい。すなわち、加工情報（図７参照）は、対象作業者Ｐａの生理活動のレベルについての報知作業者群（Ｐａ，Ｐｂ，・・・）における相対的な位置、報知作業者群（Ｐａ，Ｐｂ，・・・）の生理活動のレベルの所定期間における平均値及び対象作業者Ｐａの生理活動のレベル、報知作業者群（Ｐａ，Ｐｂ，・・・）の生理活動のレベルの所定期間における平均値及び対象作業者Ｐａの生理活動のレベルの所定期間における平均値、報知作業者群（Ｐａ，Ｐｂ，・・・）におけるそれぞれの作業者Ｐａ，Ｐｂ，・・・の生理活動のレベル、報知作業者群（Ｐａ，Ｐｂ，・・・）におけるそれぞれの作業者Ｐａ，Ｐｂ，・・・の生理活動のレベルについての頻度分布、報知作業者群（Ｐａ，Ｐｂ，・・・）におけるそれぞれの作業者Ｐａ，Ｐｂ，・・・の生理活動のレベルについての平均値、報知作業者群（Ｐａ，Ｐｂ，・・・）におけるそれぞれの作業者Ｐａ，Ｐｂ，・・・の生理活動のレベルについての最大値、報知作業者群（Ｐａ，Ｐｂ，・・・）におけるそれぞれの作業者Ｐａ，Ｐｂ，・・・の生理活動のレベルについての最小値並びに報知作業者群（Ｐａ，Ｐｂ，・・・）におけるそれぞれの作業者Ｐａ，Ｐｂ，・・・の生理活動の履歴のうち少なくとも１つであってもよい。ここで、所定期間は１時間であってもよいし、１日であってもよいし、１週間であってもよいし、１ヶ月であってもよいし、１年であってもよいし、どのような期間であってもよい。
【０１４１】
加工情報（図７参照）が対象作業者Ｐａの生理活動のレベルについての報知作業者群（Ｐａ，Ｐｂ，・・・）における相対的な位置である場合、例えば、図８に示すグラフ９７が対象作業者Ｐａへ報知されてもよい。グラフ９７において、縦軸が度数を示し、横軸が覚醒度を示す。グラフ９７は、報知作業者群（Ｐａ，Ｐｂ，・・・）の覚醒度の分布を示す。対象作業者Ｐａの覚醒度は、インジケータ７３ａで示される。すなわち、対象作業者Ｐａの覚醒度についての報知作業者群（Ｐａ，Ｐｂ，・・・）における相対的な位置が、インジケータ７３ａで示される。これにより、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である。他の作業者Ｐｂ，・・・が対象作業者である場合も同様である。
【０１４２】
（Ｃ）図３に示す端末装置４０ａ，・・・は、第３検知部４６ａ，・・・をさらに備えてもよい。図２に示す管理センタ１０は、決定部１４をさらに備えてもよい。この場合、図３に示す端末装置４０ａの第３検知部４６ａが、作業者の状態を検知する。図２に示す管理センタ１０の決定部１４が、第３検知部４６ａから、制御部４２ａと送受信部４１ａとネットワーク８０と送受信部１１と集中管理部１２とを経由して、作業者の状態の情報を受け取る。決定部１４が、作業者の状態に基づいて、好適範囲（図７のインジケータ７１，インジケータ７２参照）を決定する。ここで、好適範囲（図７のインジケータ７１，インジケータ７２参照）は、作業者の状態に適した覚醒度等関連情報（図５参照）の範囲である。報知部１５が、加工情報（図７参照）を生成部１３から受け取る。報知部１５が、好適範囲（図７のインジケータ７１，インジケータ７２参照）の情報を決定部１４から受け取る。報知部１５が、加工情報（図７参照）を好適範囲（図７のインジケータ７１，インジケータ７２参照）とともにネットワーク８０経由で対象作業者Ｐａへ報知する。他の作業者Ｐｂ，・・・が対象作業者である場合も同様である。これらの点で第１実施形態と異なる。
【０１４３】
また、報知システム１が対象作業者Ｐａ，Ｐｂ，・・・へ報知する処理の流れが、次の点で第１実施形態と異なる。図９では、報知システム１が対象作業者Ｐａへ報知する場合について説明するが、報知システム１が対象作業者Ｐｂ，・・・へ報知する場合についても同様である。
【０１４４】
図９に示すステップＳ１１では、作業者の状態が検知される。すなわち、図３に示す端末装置４０ａの第３検知部４６ａにより、作業者の状態が検知される。制御部４２ａにより、作業者の状態の情報が第３検知部４６ａから受け取られる。同様に、端末装置４０ｂ，・・・（図示せず）の第３検知部４６ｂ，・・・（図示せず）により、作業者の状態が検知される。制御部４２ｂ，・・・（図示せず）により、作業者の状態の情報が第３検知部４６ｂ，・・・（図示せず）から受け取られる。
【０１４５】
図９に示すステップＳ１２では、好適範囲が決定される。すなわち、図３に示す端末装置４０ａの制御部４２ａにより、作業者の状態の情報が送受信部４１ａへ渡される。送受信部４１ａにより、作業者の状態の情報がネットワーク８０経由で送信される。同様にして、端末装置４０ｂ，・・・（図示せず）の制御部４２ｂ，・・・（図示せず）により、作業者の状態の情報が送受信部４１ｂ，・・・（図示せず）へ渡される。送受信部４１ｂ，・・・（図示せず）により、作業者の状態の情報がネットワーク８０経由で管理センタ１０へ送信される。
【０１４６】
図２に示す管理センタ１０の送受信部１１により、作業者の状態の情報がネットワーク８０経由で受信される。送受信部１１により、作業者の状態の情報が集中管理部１２へ渡される。決定部１４により、集中管理部１２から作業者の状態の情報が受け取られる。決定部１４により、作業者の状態に基づいて、好適範囲（図７のインジケータ７１，インジケータ７２参照）が決定される。ここで、好適範囲（図７のインジケータ７１，インジケータ７２参照）は、作業者の状態に適した覚醒度等関連情報（図５参照）の範囲である。
【０１４７】
図４に示すステップＳ１３では、報知がなされる。すなわち、図２に示す管理センタ１０の報知部１５により、加工情報（図７参照）が生成部１３から受け取られ、好適範囲（図７のインジケータ７１，インジケータ７２参照）が決定部１４から受け取られる。報知部１５により、加工情報（図７参照）と好適範囲（図７のインジケータ７１，インジケータ７２参照）とを報知するための制御信号が生成される。報知部１５により、制御信号が送受信部１１へ渡される。送受信部１１により、制御信号がネットワーク８０を経由して端末装置４０ａへ送信される。図３に示す端末装置４０ａの送受信部４１ａにより、制御信号が、管理センタ１０からネットワーク８０経由で受信される。制御部４２ａにより、制御信号が、送受信部４１ａから受け取られ、報知部４３ａへ渡される。報知部４３ａにより、制御信号に従って、対象作業者Ｐａへ報知される。すなわち、図２に示す管理センタ１０の報知部１５により、加工情報（図７参照）が好適範囲（図７のインジケータ７１，インジケータ７２参照）とともに、送受信部１１とネットワーク８０とを経由して対象作業者Ｐａへ報知される。
【０１４８】
したがって、覚醒度等関連情報（図５参照）と好適範囲（図７のインジケータ７１，インジケータ７２参照）との関係を把握することができるため、作業者Ｐａ，Ｐｂ，・・・の覚醒度を好適範囲（図７のインジケータ７１，インジケータ７２参照）に近づけることができる。このため、作業者Ｐａ，Ｐｂ，・・・の生産性が向上する。
【０１４９】
（Ｄ）上記変形例（Ｃ）において、加工情報（図７参照）は、報知作業者群（Ｐａ，Ｐｂ，・・・）におけるそれぞれの作業者Ｐａ，Ｐｂ，・・・の生理活動のレベルでなくてもよい。すなわち、加工情報（図７参照）は、対象作業者Ｐａの生理活動のレベルについての報知作業者群（Ｐａ，Ｐｂ，・・・）における相対的な位置、報知作業者群（Ｐａ，Ｐｂ，・・・）の生理活動のレベルの所定期間における平均値及び対象作業者Ｐａの生理活動のレベル、報知作業者群（Ｐａ，Ｐｂ，・・・）の生理活動のレベルの所定期間における平均値及び対象作業者Ｐａの生理活動のレベルの所定期間における平均値、報知作業者群（Ｐａ，Ｐｂ，・・・）におけるそれぞれの作業者Ｐａ，Ｐｂ，・・・の生理活動のレベル、報知作業者群（Ｐａ，Ｐｂ，・・・）におけるそれぞれの作業者Ｐａ，Ｐｂ，・・・の生理活動のレベルについての頻度分布、報知作業者群（Ｐａ，Ｐｂ，・・・）におけるそれぞれの作業者Ｐａ，Ｐｂ，・・・の生理活動のレベルについての平均値、報知作業者群（Ｐａ，Ｐｂ，・・・）におけるそれぞれの作業者Ｐａ，Ｐｂ，・・・の生理活動のレベルについての最大値、報知作業者群（Ｐａ，Ｐｂ，・・・）におけるそれぞれの作業者Ｐａ，Ｐｂ，・・・の生理活動のレベルについての最小値、報知作業者群（Ｐａ，Ｐｂ，・・・）におけるそれぞれの作業者Ｐａ，Ｐｂ，・・・の生理活動の履歴、報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた連続時間並びに報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた累積時間のうち少なくとも１つであってもよい。ここで、所定期間は１時間であってもよいし、１日であってもよいし、１週間であってもよいし、１ヶ月であってもよいし、１年であってもよいし、どのような期間であってもよい。
【０１５０】
加工情報が報知作業者群（Ｐａ，Ｐｂ，・・・）の生理活動のレベルの所定期間における平均値及び対象作業者Ｐａの生理活動のレベルである場合、例えば、図１１に示すグラフ９８が対象作業者Ｐａへ報知されてもよい。グラフ９８において、縦軸が副交感神経と交感神経との活動レベルの大きさの割合を示し、横軸が覚醒レベルの高さを示す。報知作業者群（Ｐａ，Ｐｂ，・・・）の覚醒レベルの１日における平均値がインジケータ７５で示される。対象作業者Ｐａの覚醒レベルがインジケータ７４ａで示される。覚醒レベルの好適範囲がインジケータ７９で示される。図１１の場合、報知作業者群（Ｐａ，Ｐｂ，・・・）の覚醒レベルの１日における平均値は好適範囲に入っているが、対象作業者Ｐａの覚醒レベルが好適範囲を外れているので、対象作業者Ｐａの覚醒レベルが好適範囲を外れている原因が個人的な原因であると判断することができる。
【０１５１】
加工情報が報知作業者群（Ｐａ，Ｐｂ，・・・）の生理活動のレベルの所定期間における平均値及び対象作業者Ｐａの生理活動のレベルの所定期間における平均値である場合、例えば、図１２に示すグラフ９９が対象作業者Ｐａへ報知されてもよい。グラフ９９において、縦軸が特に何も示さず、横軸が心拍数を示す。報知作業者群（Ｐａ，Ｐｂ，・・・）の心拍数の１日における平均値がインジケータ７６で示される。対象作業者Ｐａの心拍数の１日における平均値がインジケータ７７ａで示される。心拍数の好適範囲がインジケータ８１で示される。図１２の場合、報知作業者群（Ｐａ，Ｐｂ，・・・）の心拍数の１日における平均値が好適範囲を外れており、対象作業者Ｐａの心拍数の１日における平均値が好適範囲を外れているので、対象作業者Ｐａの心拍数の１日における平均値が好適範囲を外れている原因が対象作業者Ｐａと別の作業者Ｐｂ，・・・に共通した原因であると判断することができる。
【０１５２】
加工情報が、報知作業者群（Ｐａ，Ｐｂ，・・・）におけるそれぞれの作業者Ｐａ，Ｐｂ，・・・の生理活動の履歴と、報知作業者群（Ｐａ，Ｐｂ，・・・）におけるそれぞれの作業者Ｐａ，Ｐｂ，・・・の生理活動が好適範囲（図７のインジケータ７１，インジケータ７２参照）を外れた連続時間と、である場合、例えば、図１３に示すグラフ９４ａ，９４ｂ，・・・が対象作業者Ｐａへ報知されてもよい。グラフ９４ａ，９４ｂ，・・・において、縦軸がストレス度を示し、横軸が時刻を示す。対象作業者Ｐａのストレス度の履歴がグラフ９４ａで示される。別の作業者Ｐｂのストレス度の履歴がグラフ９４ｂで示される。ストレス度の好適範囲がインジケータ７８で示される。対象作業者Ｐａのストレス度が好適範囲を外れた連続時間Ｔ１がインジケータ８２で示される。図１３の場合、対象作業者Ｐａのストレス度が連続時間Ｔ１だけ好適範囲を外れており、別の作業者Ｐｂのストレス度が好適範囲を外れていないので、対象作業者Ｐａのストレス度が好適範囲を外れている原因が個人的な原因であると判断することができる。また、連続時間Ｔ１が所定時間を超えていれば、対象作業者Ｐａが休憩を取るべきであると判断することができる。
【０１５３】
（Ｅ）上記変形例（Ｃ）において、図３に示す端末装置４０ａ，・・・の第３検知部４６ａ，・・・が、作業者の状態として、作業者の作業の種類を検知してもよい。決定部１４が、第３検知部４６ａ，・・・から、制御部４２ａ，・・・と送受信部４１ａ，・・・とネットワーク８０と送受信部１１と集中管理部１２とを経由して、作業者の状態の情報を受け取る。決定部１４が、作業者の状態に基づいて、好適範囲（図７のインジケータ７１，インジケータ７２参照）を決定する。報知部１５が、加工情報（図７参照）を生成部１３から受け取る。報知部１５が、好適範囲（図７のインジケータ７１，インジケータ７２参照）の情報を決定部１４から受け取る。報知部１５が、加工情報（図７参照）を好適範囲（図７のインジケータ７１，インジケータ７２参照）とともにネットワーク８０経由で対象作業者Ｐａへ報知する。他の作業者Ｐｂ，・・・が対象作業者である場合も同様である。したがって、作業者の作業の種類に適した覚醒度等関連情報の範囲（図７のインジケータ７１，インジケータ７２参照）とともに、加工情報（図７参照）を報知することができる。なお、他の作業者Ｐｂ，・・・が対象作業者である場合も同様である。作業の種類は、例えば、単純な作業と複雑な作業とである。複雑な作業は、例えば、ＣＡＤによる設計作業であってもよいし、ソフトウェアのプログラミング作業であってもよいし、特許明細書の作成作業であってもよい。単純な作業は、例えば、データベースへの入力作業であってもよいし、事務書類作成作業であってもよいし、伝票の入力作業であってもよいし、文書のワープロでの清書作業であってもよい。
【０１５４】
上記変形例（Ｃ）において、図３に示す端末装置４０ａ，・・・の第３検知部４６ａ，・・・が、作業者の状態として、作業者の作業の経過時間、作業者の作業の残勤務時間、作業者の動作量、作業者の在席の連続時間及び作業者の在席の累積時間の少なくとも１つを検知してもよい。この場合、決定部１４が、第３検知部４６ａ，・・・から、制御部４２ａ，・・・と送受信部４１ａ，・・・とネットワーク８０と送受信部１１と集中管理部１２とを経由して、作業者の状態の情報を受け取る。決定部１４が、作業者の状態に基づいて、好適範囲（図７のインジケータ７１，インジケータ７２参照）を決定する。報知部１５が、加工情報（図７参照）を生成部１３から受け取る。報知部１５が、好適範囲（図７のインジケータ７１，インジケータ７２参照）の情報を決定部１４から受け取る。報知部１５が、加工情報（図７参照）を好適範囲（図７のインジケータ７１，インジケータ７２参照）とともにネットワーク８０経由で対象作業者Ｐａへ報知する。他の作業者Ｐｂ，・・・が対象作業者である場合も同様である。したがって、作業者の作業の経過時間、作業者の作業の残勤務時間、作業者の動作量、作業者の在席の連続時間及び作業者の在席の累積時間の少なくとも１つに適した覚醒度等関連情報の範囲（図７のインジケータ７１，インジケータ７２参照）とともに、加工情報（図７参照）を報知することができる。なお、他の作業者Ｐｂ，・・・が対象作業者である場合も同様である。
【０１５５】
上記変形例（Ｃ）において、図３に示す端末装置４０ａ，・・・の第３検知部４６ａ，・・・が、作業者の状態として、作業者の周囲の環境を検知してもよい。決定部１４が、制御部４２ａ，・・・と送受信部４１ａ，・・・とネットワーク８０と送受信部１１と集中管理部１２とを経由して、作業者の状態の情報を第３検知部４６ａ，・・・から受け取る。決定部１４が、作業者の状態に基づいて、好適範囲（図７のインジケータ７１，インジケータ７２参照）を決定する。報知部１５が、加工情報（図７参照）を生成部１３から受け取る。報知部１５が、好適範囲（図７のインジケータ７１，インジケータ７２参照）の情報を決定部１４から受け取る。報知部１５が、加工情報（図７参照）を好適範囲（図７のインジケータ７１，インジケータ７２参照）とともにネットワーク８０経由で対象作業者Ｐａへ報知する。他の作業者Ｐｂ，・・・が対象作業者である場合も同様である。したがって、作業者の周囲の環境に適した覚醒度等関連情報の範囲（図７のインジケータ７１，インジケータ７２参照）とともに、加工情報（図７参照）を報知することができる。なお、他の作業者Ｐｂ，・・・が対象作業者である場合も同様である。
【０１５６】
（Ｆ）上記変形例（Ｃ）において、図３に示す端末装置４０ａ，・・・は、第４検知部４７ａ，・・・をさらに備えてもよい。図２に示す管理センタ１０は、決定部１４をさらに備えてもよい。この場合、決定部１４が、第３検知部４６ａ，・・・から、制御部４２ａ，・・・と送受信部４１ａ，・・・とネットワーク８０と送受信部１１と集中管理部１２とを経由して、作業者の状態の情報を受け取る。第４検知部４７ａ，・・・が、作業者の作業の成績を検知する。決定部１４が、第４検知部４７ａ，・・・から、制御部４２ａ，・・・と送受信部４１ａ，・・・とネットワーク８０と送受信部１１と集中管理部１２とを経由して、作業者の作業の成績の情報を受け取る。決定部１４が、作業者の状態と作業者の作業の成績とに基づいて、好適範囲（図７のインジケータ７１，インジケータ７２参照）を決定する。他の作業者Ｐｂ，・・・が対象作業者である場合も同様である。これらの点で第１実施形態及び上記変形例（Ｃ）と異なる。
【０１５７】
また、報知システム１が対象作業者Ｐａ，Ｐｂ，・・・へ報知する処理の流れが、次の点で第１実施形態及び上記変形例（Ｃ）と異なる。図１４では、報知システム１が対象作業者Ｐａへ報知する場合について説明するが、報知システム１が対象作業者Ｐｂ，・・・へ報知する場合についても同様である。
【０１５８】
図１４に示すステップＳ２１では、作業者の作業の成績が検知される。すなわち、図３に示す端末装置４０ａの第４検知部４７ａにより、作業者の作業の成績が検知される。制御部４２ａにより、作業者の作業の成績の情報が第４検知部４７ａから受け取られる。同様に、端末装置４０ｂ，・・・（図示せず）の第４検知部４７ｂ，・・・（図示せず）により、作業者の作業の成績の情報が検知される。制御部４２ｂ，・・・（図示せず）により、作業者の作業の成績の情報が第４検知部４７ｂ，・・・（図示せず）から受け取られる。
【０１５９】
図１４に示すステップＳ２２では、好適範囲が決定される。すなわち、図３に示す端末装置４０ａの制御部４２ａにより、作業者の状態の情報と作業者の作業の成績の情報とが送受信部４１ａへ渡される。送受信部４１ａにより、作業者の状態の情報と作業者の作業の成績の情報とがネットワーク８０経由で送信される。同様にして、端末装置４０ｂ，・・・（図示せず）の制御部４２ｂ，・・・（図示せず）により、作業者の状態の情報と作業者の作業の成績の情報とが送受信部４１ｂ，・・・（図示せず）へ渡される。送受信部４１ｂ，・・・（図示せず）により、作業者の状態の情報と作業者の作業の成績の情報とがネットワーク８０経由で管理センタ１０へ送信される。
【０１６０】
図２に示す管理センタ１０の送受信部１１により、作業者の状態の情報と作業者の作業の成績の情報とがネットワーク８０経由で受信される。送受信部１１により、作業者の状態の情報と作業者の作業の成績の情報とが集中管理部１２へ渡される。決定部１４により、作業者の状態の情報と作業者の作業の成績の情報とが、集中管理部１２から受け取られる。決定部１４により、作業者の状態の情報と作業者の作業の成績の情報とに基づいて、好適範囲（図７のインジケータ７１，インジケータ７２参照）が決定される。ここで、好適範囲（図７のインジケータ７１，インジケータ７２参照）は、作業者の状態に適した覚醒度等関連情報（図５参照）の範囲である。
【０１６１】
したがって、作業者の状態と作業者の作業の成績とに基づいて好適範囲（図７のインジケータ７１，インジケータ７２参照）を決めるので、好適範囲（図７のインジケータ７１，インジケータ７２参照）を正確に決めることができる。
【０１６２】
（Ｇ）上記変形例（Ｃ）〜（Ｆ）において、図２に示す管理センタ１０は、第３相関関係記憶部１９をさらに備えてもよい。この場合、第３相関関係記憶部１９が、制御部４２ａ，・・・と送受信部４１ａ，・・・とネットワーク８０と送受信部１１と集中管理部１２とを経由して、覚醒度等関連情報（図５参照）を第１検知部４４ａ，・・・から受け取る。第３相関関係記憶部１９が、制御部４２ａ，・・・と送受信部４１ａ，・・・とネットワーク８０と送受信部１１と集中管理部１２とを経由して、作業者の存在の情報を第２検知部４５ａ，・・・から受け取る。第３相関関係記憶部１９が、集中管理部１２を経由して、好適範囲（図７のインジケータ７１，インジケータ７２参照）の情報を決定部１４から受け取る。第３相関関係記憶部１９が、覚醒度等関連情報（図５参照）と好適範囲（図７のインジケータ７１，インジケータ７２参照）との相関関係を、作業者毎に記憶する。したがって、覚醒度等関連情報（図５参照）と好適範囲（図７のインジケータ７１，インジケータ７２参照）との相関関係を作業者毎に記憶しているので、作業者に適した好適範囲（図７のインジケータ７１，インジケータ７２参照）とともに、加工情報（図７参照）を報知することができる。
【０１６３】
第３相関関係記憶部１９に記憶された相関関係は、例えば、図１５に示す相関関係であってもよい。作業者が対象作業者Ｐａである場合、覚醒度等関連情報（図５参照）と好適範囲（図７のインジケータ７１，インジケータ７２参照）との相関関係がグラフ９５ａａで示される。作業者が別の作業者Ｐｂである場合、覚醒度等関連情報（図５参照）と好適範囲（図７のインジケータ７１，インジケータ７２参照）との相関関係がグラフ９５ｂａで示される。
【０１６４】
あるいは、第３相関関係記憶部１９が、第１検知部４４ａ，・・・から、制御部４２ａ，・・・と送受信部４１ａ，・・・とネットワーク８０と送受信部１１と集中管理部１２とを経由して、覚醒度等関連情報（図５参照）を受け取る。第３相関関係記憶部１９が、集中管理部１２を経由して、好適範囲（図７のインジケータ７１，インジケータ７２参照）の情報を決定部１４から受け取る。第３相関関係記憶部１９が、制御部４２ａ，・・・と送受信部４１ａ，・・・とネットワーク８０と送受信部１１と集中管理部１２とを経由して、作業者の状態の情報を第３検知部４６ａ，・・・から受け取る。第３相関関係記憶部１９が、覚醒度等関連情報（図５参照）と好適範囲（図７のインジケータ７１，インジケータ７２参照）との相関関係を、作業者の状態毎に記憶する。したがって、覚醒度等関連情報（図５参照）と好適範囲（図７のインジケータ７１，インジケータ７２参照）との相関関係を作業者の状態毎に記憶しているので、作業者の状態に適した好適範囲（図７のインジケータ７１，インジケータ７２参照）とともに、加工情報（図７参照）を報知することができる。
【０１６５】
第３相関関係記憶部１９に記憶された相関関係は、例えば、図１０に示す相関関係であってもよい。作業者の状態すなわち作業内容が単純である場合、覚醒度等関連情報（図５参照）と好適範囲（図７のインジケータ７１，インジケータ７２参照）との相関関係がグラフ９５ａａで示される。作業者の状態すなわち作業内容が普通である場合、覚醒度等関連情報（図５参照）と好適範囲（図７のインジケータ７１，インジケータ７２参照）との相関関係がグラフ９５ａｂで示される。作業者の状態すなわち作業内容が複雑である場合、覚醒度等関連情報（図５参照）と好適範囲（図７のインジケータ７１，インジケータ７２参照）との相関関係がグラフ９５ａｃで示される。
【０１６６】
あるいは、第３相関関係記憶部１９が、第１検知部４４ａ，・・・から、制御部４２ａ，・・・と送受信部４１ａ，・・・とネットワーク８０と送受信部１１と集中管理部１２とを経由して、覚醒度等関連情報（図５参照）を受け取る。第３相関関係記憶部１９が、第２検知部４５ａ，・・・から、制御部４２ａ，・・・と送受信部４１ａ，・・・とネットワーク８０と送受信部１１と集中管理部１２とを経由して、作業者の存在の情報を受け取る。第３相関関係記憶部１９が、集中管理部１２を経由して、好適範囲（図７のインジケータ７１，インジケータ７２参照）の情報を決定部１４から受け取る。第３相関関係記憶部１９が、制御部４２ａ，・・・と送受信部４１ａ，・・・とネットワーク８０と送受信部１１と集中管理部１２とを経由して、作業者の状態の情報を第３検知部４６ａ，・・・から受け取る。第３相関関係記憶部１９が、覚醒度等関連情報（図５参照）と好適範囲（図７のインジケータ７１，インジケータ７２参照）との相関関係を、作業者の状態毎に作業者毎に記憶する。したがって、覚醒度等関連情報（図５参照）と好適範囲（図７のインジケータ７１，インジケータ７２参照）との相関関係を作業者の状態毎に記憶しているので、作業者の状態に適した好適範囲（図７のインジケータ７１，インジケータ７２参照）とともに、加工情報（図７参照）を報知することができる。
【０１６７】
第３相関関係記憶部１９に記憶された相関関係は、例えば、図１０及び図１５に示す相関関係であってもよい。作業者の状態すなわち作業内容が単純であり、作業者が対象作業者Ｐａである場合、覚醒度等関連情報（図５参照）と好適範囲（図７のインジケータ７１，インジケータ７２参照）との相関関係がグラフ９５ａａで示される。作業者の状態すなわち作業内容が普通であり、作業者が対象作業者Ｐａである場合、覚醒度等関連情報（図５参照）と好適範囲（図７のインジケータ７１，インジケータ７２参照）との相関関係がグラフ９５ａｂで示される。作業者の状態すなわち作業内容が複雑であり、作業者が対象作業者Ｐａである場合、覚醒度等関連情報（図５参照）と好適範囲（図７のインジケータ７１，インジケータ７２参照）との相関関係がグラフ９５ａｃで示される。作業者の状態すなわち作業内容が単純であり、作業者が別の作業者Ｐｂである場合、覚醒度等関連情報（図５参照）と好適範囲（図７のインジケータ７１，インジケータ７２参照）との相関関係がグラフ９５ｂａで示される。
【０１６８】
（Ｈ）図３に示す端末装置４０ａ，・・・は、第１入力部４８ａ，・・・をさらに備えてもよい。この場合、第１入力部４８ａに、第１申告情報が入力される。ここで、第１申告情報は、覚醒度等関連情報（図５参照）に関する作業者Ｐａの主観である。第２検知部４５ａが、対象作業者Ｐａの存在を別の作業者Ｐｂ，・・・と区別して検知する。図２に示す管理センタ１０の送受信部１１が、対象作業者Ｐａの第１申告情報を、対象作業者Ｐａの覚醒度等関連情報（図５参照）としてネットワーク８０経由で受信する。他の作業者Ｐｂ，・・・が対象作業者である場合も同様である。したがって、第１申告情報が入力されるので、覚醒度等関連情報（図５参照）を確実に把握することができる。他の第１入力部４８ｂ，・・・についても、第１入力部４８ａと同様である。
【０１６９】
このとき、図２に示す管理センタ１０は、第２相関関係記憶部１８をさらに備えてもよい。すなわち、図３に示す端末装置４０ａの第１検知部４４ａが、覚醒度等関連情報（図５参照）を検知する。第２検知部４５ａが、対象作業者Ｐａの存在を別の作業者Ｐｂ，・・・と区別して検知する。対象作業者Ｐａの存在と第１検知部４４ａが検知した覚醒度等関連情報（図５参照）とを関連付けることができる。第１入力部４８ａに、第１申告情報が入力される。第２相関関係記憶部１８が、第１検知部が検知した覚醒度等関連情報（図５参照）と第１入力部に入力された第１申告情報と対象作業者Ｐａの存在の情報とを受け取る。第２相関関係記憶部１８が、第１検知部４４ａが検知した覚醒度等関連情報（図５参照）と第１入力部４８ａに入力された第１申告情報との相関関係を作業者Ｐａ，Ｐｂ，・・・毎に記憶する。他の作業者Ｐｂ，・・・が対象作業者である場合も同様である。したがって、第１検知部が検知した覚醒度等関連情報（図５参照）と第１入力部に入力された第１申告情報との相関関係を作業者Ｐａ，Ｐｂ，・・・毎に記憶するので、覚醒度の個人差を把握することができる。
【０１７０】
第２相関関係記憶部１８は、図１６に示すように、主として作業者１８１，覚醒度１８２及び第１申告情報１８３を備える。作業者１８１は、対象作業者Ｐａを別の作業者Ｐｂ，・・・と区別するための情報である。覚醒度１８２は、覚醒レベルが好適範囲に比べて高いか否かを示す。第１申告情報１８３は、第１入力部４８ａ，・・・に入力された作業者Ｐａ，・・・の主観である。図１６に示す場合、作業者Ｐａは、覚醒度１８２が「やや高い」状態であり、第１申告情報１８３が「適度」である。それに対し、作業者Ｐｂは、覚醒度１８２が「やや高い」状態であり、第１申告情報１８３が「やや高い」である。すなわち、作業者Ｐａの方が作業者Ｐｂよりも適度な覚醒度が高めである。そこで、上記変形例（Ｇ）の第３相関関係記憶部１９に記憶されている相関関係が図１５に示すように修正される。作業者が作業者Ｐａである場合、覚醒度等関連情報（図５参照）と好適範囲（図７のインジケータ７１，インジケータ７２参照）との相関関係がグラフ９５ａａで示される。作業者が作業者Ｐｂである場合、覚醒度等関連情報（図５参照）と好適範囲（図７のインジケータ７１，インジケータ７２参照）との相関関係がグラフ９５ｂａで示される。
【０１７１】
（Ｉ）図２に示す管理センタ１０は、入力部１６をさらに備えてもよい。この場合、集中管理部１２に、入力部１６を介して、第１アドバイスが入力される。ここで、第１アドバイスは、対象作業者Ｐａの覚醒度等関連情報（図５参照）に対する第三者のアドバイスである。第三者は、例えば、産業医とすることができる。報知部１５が、生成部１３を経由して、第１アドバイスを集中管理部１２から受け取る。報知部１５が、第１アドバイスをネットワーク８０経由で対象作業者Ｐａへさらに報知する。他の作業者Ｐｂ，・・・が対象作業者である場合も同様である。これらの点で第１実施形態と異なる。
【０１７２】
また、報知システム１が対象作業者Ｐａ，Ｐｂ，・・・へ報知する処理の流れが、次の点で第１実施形態と異なる。図１７では、報知システム１が対象作業者Ｐａへ報知する場合について説明するが、報知システム１が対象作業者Ｐｂ，・・・へ報知する場合についても同様である。
【０１７３】
図１７に示すステップＳ３１では、第１アドバイスが入力される。すなわち、集中管理部１２に、入力部１６を介して、第１アドバイスが入力される。報知部１５により、生成部１３を経由して、第１アドバイスが集中管理部１２から受け取られる。
【０１７４】
図１７に示すステップＳ３２では、報知がなされる。すなわち、図２に示す管理センタ１０の報知部１５により、加工情報（図７参照）と第１アドバイスとが生成部１３から受け取られ、加工情報（図７参照）と第１アドバイスとを報知するための制御信号が生成される。報知部１５により、制御信号が送受信部１１へ渡される。送受信部１１により、制御信号がネットワーク８０を経由して端末装置４０ａへ送信される。図３に示す端末装置４０ａの送受信部４１ａにより、制御信号が管理センタ１０からネットワーク８０経由で受信される。制御部４２ａにより、制御信号が、送受信部４１ａから受け取られ、報知部４３ａへ渡される。報知部４３ａにより、制御信号に従って、対象作業者Ｐａへ報知される。すなわち、図２に示す管理センタ１０の報知部１５により、加工情報（図７参照）と第１アドバイスとが、送受信部１１とネットワーク８０とを経由して対象作業者Ｐａへ報知される。
【０１７５】
したがって、集中管理部１２に入力された第１アドバイスをさらに報知するので、作業者Ｐａ，Ｐｂ，・・・の覚醒度を改善することがさらに容易になる。
【０１７６】
（Ｊ）上記変形例（Ｉ）において、図２に示す管理センタ１０は、第１アドバイス情報２１をさらに備えてもよい。この場合、図１７に示すステップＳ３１において、第１アドバイスが集中管理部１２から第１アドバイス情報２１へ渡される。これらの点で上記変形例（Ｉ）と異なる。したがって、第１アドバイスの履歴が管理される。このとき、第１アドバイス情報２１は、図１８に示すように、主として作業者２１１と第１アドバイス２１２とを備える。作業者２１１は、対象作業者Ｐａを別の作業者Ｐｂ，・・・と区別するための情報である。第１アドバイス２１２は、入力部１６に入力された第１アドバイスである。第１アドバイス情報２１を参照することにより，例えば，作業者Ｐａに報知した第１アドバイスが「１０分後に離席し、５分休憩を取って下さい」であることが分かる。
【０１７７】
上記変形例（Ｉ）において、図２に示す管理センタ１０は、第１アドバイス情報２１ａをさらに備えており、集中管理部１２が第１アドバイスを選択してもよい。この場合、図１７に示すステップＳ１より前のステップにおいて、集中管理部１２に、入力部１６を介して、第１アドバイスがあらかじめ入力されている。第１アドバイスは、集中管理部１２から第１アドバイス情報２１ａへ渡され、第１アドバイス情報２１ａとして記憶されている。図１７に示すステップ３１において、第１アドバイスが選択される。すなわち、集中管理部１２により、第１アドバイス情報２１ａが参照され、第１アドバイスが選択される。報知部１５により、生成部１３を経由して、第１アドバイスが集中管理部１２から受け取られる。これらの点で上記変形例（Ｉ）と異なる。したがって、集中管理部１２が選択した第１アドバイスを報知するので、作業者Ｐａ，Ｐｂ，・・・の覚醒度を改善することがさらに容易になる。
【０１７８】
このとき、第１アドバイス情報２１ａは、図１９に示すように、主として覚醒度２１３と第１アドバイス２１２とを備える。覚醒度２１３は、覚醒度が適度な値に対して高いか否かを示す。第１アドバイス２１２は、入力部１６に入力された第１アドバイスである。第１アドバイス情報２１ａを参照することにより，例えば，覚醒度が適度な値よりも高い作業者に報知すべき第１アドバイスが「ゆっくりした音楽をＢＧＭにして下さい」であることが分かる。
【０１７９】
（Ｋ）上記変形例（Ｉ）において、図３に示す端末装置４０ａ，・・・は、第３検知部４６ａ，・・・をさらに備えてもよい。図２に示す管理センタ１０は、決定部１４をさらに備えてもよい。この場合、図１７に示すステップＳ４とステップＳ３１との間に、上記変形例（Ｃ）と同様に、図９に示すステップＳ１１とステップＳ１２とが入ることになる。図１７に示すステップＳ３１では、集中管理部１２に、入力部１６を介して、第２アドバイスが入力される。ここで、第２アドバイスは、対象作業者の覚醒度等関連情報（図５参照）に対する作業者の状態に基づく第三者のアドバイスである。第三者は、例えば、産業医とすることができる。報知部１５により、生成部１３を経由して、第２アドバイスが集中管理部１２から受け取られる。図１７に示すステップＳ３２では、図２に示す管理センタ１０の報知部１５により、加工情報（図７参照）と第２アドバイスとが生成部１３から受け取られ、加工情報（図７参照）と第２アドバイスとを報知するための制御信号が生成される。これらの点で上記変形例（Ｉ）と異なる。したがって、集中管理部１２に入力された第２アドバイスをさらに報知するので、作業者Ｐａ，Ｐｂ，・・・の覚醒度を好適範囲に近づけることがさらに容易になる。
【０１８０】
（Ｌ）上記変形例（Ｋ）において、図２に示す管理センタ１０は、第２アドバイス情報２２をさらに備えてもよい。この場合、図１７に示すステップＳ３１において、第２アドバイスが集中管理部１２から第２アドバイス情報２２へ渡される。これらの点で上記変形例（Ｋ）と異なる。したがって、第２アドバイスの履歴が管理される。
【０１８１】
このとき、第２アドバイス情報２２は、例えば、図２０に示すように、主として作業者２２１と作業の種類２２２と第２アドバイス２２３とを備える。作業者２２１は、対象作業者Ｐａを別の作業者Ｐｂ，・・・と区別するための情報である。作業の種類２２２は、作業者Ｐａ，Ｐｂ，・・・が行っている作業の種類を示す。第２アドバイス２２３は、入力部１６に入力された第２アドバイスである。第２アドバイス情報２２を参照することにより，例えば，単純な作業を行っている作業者Ｐａに報知した第２アドバイスが「頭部に冷風を当てて下さい」であることが分かる。
【０１８２】
上記変形例（Ｋ）において、図２に示す管理センタ１０は、第２アドバイス情報２２ａをさらに備えており、集中管理部１２が第２アドバイスを選択してもよい。この場合、図１７に示すステップＳ１より前のステップにおいて、集中管理部１２に、入力部１６を介して、第２アドバイスがあらかじめ入力されている。第２アドバイスは、集中管理部１２から第２アドバイス情報２２ａへ渡され、第２アドバイス情報２２ａとして記憶されている。図１７に示すステップ３１において、第２アドバイスが選択される。すなわち、集中管理部１２により、第２アドバイスが選択される。報知部１５により、生成部１３を経由して、第２アドバイスが集中管理部１２から受け取られる。これらの点で上記変形例（Ｋ）と異なる。したがって、集中管理部１２が選択した第２アドバイスを報知するので、作業者Ｐａ，Ｐｂ，・・・の覚醒度を改善することがさらに容易になる。このとき、第２アドバイス情報２２ａは、図２１に示すように、主として覚醒度２２４と作業の種類２２２と第２アドバイス２２３とを備える。覚醒度２２４は、覚醒度が好適範囲に対して高いか否かを示す。作業の種類２２２は、作業者Ｐａ，Ｐｂ，・・・が行っている作業の種類を示す。第２アドバイス２２３は、入力部１６に入力された第２アドバイスである。第２アドバイス情報２２ａを参照することにより，例えば，作業者の覚醒度が好適範囲よりもやや低く、作業者が単純な作業を行っている場合に、作業者に報知すべき第２アドバイスが「頭部に冷風を当てて下さい」であることが分かる。
【０１８３】
（Ｍ）図３に示すように、端末装置４０ａ，・・・は、第２入力部４９ａ，・・・をさらに備えてもよい。この場合、第２入力部４９ａ，・・・に、第２申告情報が入力される。第２申告情報が、好適範囲に関する作業者Ｐａ，・・・の主観である。報知部１５が、第２入力部４９ａ，・・・から、制御部４２ａ，・・・と送受信部４１ａ，・・・とネットワーク８０と送受信部１１と集中管理部１２と決定部１４とを経由して、第２申告情報を好適範囲の情報として受け取る。これらの点で第１実施形態と異なる。したがって、第２申告情報が入力されるので、好適範囲を作業者Ｐａ，・・・の好みに応じて設定することができる。
【０１８４】
図３に示すように、端末装置４０ａ，・・・は、第３入力部５１ａ，・・・をさらに備えてもよい。この場合、第３入力部５１ａ，・・・に、第３申告情報が入力される。第３申告情報が、作業者の状態に関する作業者Ｐａ，・・・の主観である。決定部１４が、第３入力部５１ａ，・・・から、制御部４２ａ，・・・と送受信部４１ａ，・・・とネットワーク８０と送受信部１１と集中管理部１２とを経由して、第３申告情報を作業者の状態の情報として受け取る。これらの点で第１実施形態と異なる。したがって、第３申告情報が入力されるので、作業者の状態を確実に把握することができる。
【０１８５】
図３に示すように、端末装置４０ａ，・・・は、第４入力部５２ａ，・・・をさらに備えてもよい。この場合、第４入力部５２ａ，・・・に、第４申告情報が入力される。第４申告情報が、作業者の作業の成績に関する作業者Ｐａ，・・・の主観である。決定部１４が、第４入力部５２ａ，・・・から、制御部４２ａ，・・・と送受信部４１ａ，・・・とネットワーク８０と送受信部１１と集中管理部１２とを経由して、第４申告情報を作業者の作業の成績の情報として受け取る。これらの点で第１実施形態と異なる。したがって、第４申告情報が入力されるので、作業者の作業の成績を確実に把握することができる。
【０１８６】
［第２実施形態］
本発明の第２実施形態に係る報知システム１００を図２２に示す。また、報知システム１００の各構成要素の構成図を図２３，図２４に示す。図２２〜図２４において、図１〜図３の報知システム１の構成要素と同様の構成要素は同じ番号で示してある。図２２に示す報知システム１００は、主として複数の作業者Ｐａ，Ｐｂ，・・・のうちいずれかの作業者である対象作業者Ｐａ，Ｐｂ，・・・へ報知するためのシステムである。
【０１８７】
この報知システム１００は、図２２〜図２４に示すように、基本的な構造は第１実施形態と同様であり各構成要素は図２，図３と同様であるが、報知のための処理が端末装置群１４０（１４０ａ，１４０ｂ，・・・）で行われる点が第１実施形態と異なる。すなわち、図２３に示す管理センタ１１０は、報知部１５を備えていない。図２４に示す端末装置１４０ａの報知部１４３ａが、加工情報（図７参照）を、生成部１３から、集中管理部１１２と送受信部１１とネットワーク８０と送受信部４１ａと制御部１４２ａとを経由して、受け取る。報知部１４３ａは、報知のための処理を行い、加工情報（図７参照）を対象作業者Ｐａへ報知する。他の作業者Ｐｂ，・・・が対象作業者となる場合も同様である。これらの点で第１実施形態と異なる。
【０１８８】
覚醒度等関連情報（図５参照）について対象作業者Ｐａと別の作業者Ｐｂ，・・・とを比較することが可能であるため、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である点は、第１実施形態と同様である。他の作業者Ｐｂ，・・・が対象作業者となる場合も第１実施形態と同様である。したがって、このような報知システム１００によっても、作業者Ｐａ，Ｐｂ，・・・の覚醒度を改善することが容易になるため、作業者Ｐａ，Ｐｂ，・・・の生産性が向上する。
【０１８９】
［第３実施形態］
本発明の第３実施形態に係る報知システム２００を図２５に示す。また、報知システム２００の各構成要素の構成図を図２６，図２７に示す。図２５〜図２７において、図１〜図３の報知システム１の構成要素と同様の構成要素は同じ番号で示してある。図２５に示す報知システム２００は、主として複数の作業者Ｐａ，Ｐｂ，・・・のうちいずれかの作業者である対象作業者Ｐａ，Ｐｂ，・・・へ報知するためのシステムである。
【０１９０】
この報知システム２００は、図２５〜図２７に示すように、基本的な構造は第１実施形態と同様であり各構成要素は図２，図３と同様であるが、加工情報（図７参照）の生成が端末装置群２４０（２４０ａ，２４０ｂ，・・・）で行われる点が第１実施形態と異なる。すなわち、図２６に示す管理センタ２１０が、生成部１３を備えていない。図２７に示す端末装置２４０ａが、生成部２５３ａをさらに備えている。図２７に示す端末装置２４０ａの生成部２５３ａが、対象作業者Ｐａの覚醒度等関連情報（図５参照）と別の作業者Ｐｂ，・・・の覚醒度等関連情報（図５参照）とを、第１相関関係記憶部１７から、集中管理部２１２と送受信部１１とネットワーク８０と送受信部４１ａと制御部２４２ａとを経由して受け取る。生成部２５３ａが、対象作業者Ｐａの覚醒度等関連情報（図５参照）と別の作業者Ｐｂ，・・・の覚醒度等関連情報（図５参照）とに基づいて、加工情報（図７参照）を生成する。生成部２５３ａが、加工情報（図７参照）を報知部１４３ａへ渡す。他の作業者Ｐｂ，・・・が対象作業者となる場合も同様である。これらの点で第１実施形態及び第２実施形態と異なる。
【０１９１】
覚醒度等関連情報（図５参照）について対象作業者Ｐａと別の作業者Ｐｂ，・・・とを比較することが可能であるため、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である点は、第１実施形態と同様である。他の作業者Ｐｂ，・・・が対象作業者となる場合も第１実施形態と同様である。したがって、このような報知システム２００によっても、作業者Ｐａ，Ｐｂ，・・・の覚醒度を改善することが容易になるため、作業者Ｐａ，Ｐｂ，・・・の生産性が向上する。
【０１９２】
＜第３実施形態の変形例＞
（Ａ）図２７に示す端末装置２４０ａの生成部２５３ａが、対象作業者Ｐａの覚醒度等関連情報（図５参照）を、第１相関関係記憶部１７から、集中管理部２１２と送受信部１１とネットワーク８０と送受信部４１ａと制御部２４２ａとを経由して受け取らなくてもよい。すなわち、生成部２５３ａが、第１検知部４４ａから制御部２４２ａを経由して、覚醒度等関連情報を受け取ってもよい。生成部２５３ａが、第２検知部４５ａから制御部２４２ａを経由して、対象作業者Ｐａの存在の情報を受け取ってもよい。他の作業者Ｐｂ，・・・が対象作業者である場合も同様である。
【０１９３】
（Ｂ）端末装置２４０ａ，・・・は、決定部２５４ａ，・・・をさらに備えてもよい。
【０１９４】
［第４実施形態］
本発明の第４実施形態に係る報知システム３００を図２８に示す。また、報知システム３００の各構成要素の構成図を図２９に示す。図２８，図２９において、図１〜図３の報知システム１の構成要素と同様の構成要素は同じ番号で示してある。図２８に示す報知システム３００は、主として複数の作業者Ｐａ，Ｐｂ，・・・のうちいずれかの作業者である対象作業者Ｐａ，Ｐｂ，・・・へ報知するためのシステムである。
【０１９５】
この報知システム３００は、図２８，図２９に示すように、基本的な構造は第１実施形態と同様であり各構成要素は図３と同様であるが、管理センタ１０が備えられていない点と、端末装置群３４０（３４０ａ，３４０ｂ，・・・）の構成と、が第１実施形態と異なる。すなわち、図２９に示す端末装置３４０ａは、第１相関関係記憶部３５５ａをさらに備えている。図２７に示す端末装置１４０ａの生成部２５３ａが、対象作業者Ｐａの覚醒度等関連情報（図５参照）を、第１相関関係記憶部３５５ａから、制御部３４２ａを経由して受け取る。生成部２５３ａが、別の作業者Ｐｂ，・・・の覚醒度等関連情報（図５参照）を、端末装置３４０ｂ，・・・から、ネットワーク８０と送受信部４１ａと制御部３４２ａとを経由して受け取る。生成部２５３ａが、対象作業者Ｐａの覚醒度等関連情報（図５参照）と別の作業者Ｐｂ，・・・の覚醒度等関連情報（図５参照）とに基づいて、加工情報（図７参照）を生成する。これらの点で第１実施形態，第２実施形態及び第３実施形態と異なる。
【０１９６】
覚醒度等関連情報（図５参照）について対象作業者Ｐａと別の作業者Ｐｂ，・・・とを比較することが可能であるため、対象作業者Ｐａの覚醒度が適度な値でない場合に、その原因が対象作業者Ｐａの個人的な原因であるのか対象作業者Ｐａと別の作業者Ｐｂ，・・・とに共通した原因であるのかを判断することが可能である点は、第１実施形態と同様である。他の作業者Ｐｂ，・・・が対象作業者となる場合も第１実施形態と同様である。したがって、このような報知システム３００によっても、作業者Ｐａ，Ｐｂ，・・・の覚醒度を改善することが容易になるため、作業者Ｐａ，Ｐｂ，・・・の生産性が向上する。
【０１９７】
＜第４実施形態の変形例＞
（Ａ）端末装置３４０ａ，・・・は、第２相関関係記憶部３５６ａ，・・・をさらに備えていてもよい。端末装置３４０ａ，・・・は、第３相関関係記憶部３５７ａ，・・・をさらに備えていてもよい。第１相関関係記憶部３５５ａ，・・・や第２相関関係記憶部３５６ａ，・・・や第３相関関係記憶部３５７ａ，・・・は、対象作業者Ｐａの情報のみを記憶していてもよいし、さらに他の作業者Ｐｂ，・・・の情報を記憶していてもよい。
【０１９８】
（Ｂ）報知システム３００は、管理センタ１０をさらに備えていてもよい。
【産業上の利用可能性】
【０１９９】
本発明にかかる報知システム及び報知プログラムは、作業者の生産性を向上することができるという効果を有し、報知システム及び報知プログラム等として有用である。
【図面の簡単な説明】
【０２００】
【図１】本発明の第１実施形態による報知システムの構成図。
【図２】本発明の第１実施形態による管理センタの構成図。
【図３】本発明の第１実施形態による端末装置の構成図。
【図４】報知システムが対象作業者へ報知する処理の流れを示すフローチャート。
【図５】覚醒度等関連情報を示す概念図。
【図６】第１相関関係記憶部の構成を示す概念図。
【図７】加工情報を示す概念図。
【図８】加工情報を示す概念図。
【図９】報知システムが対象作業者へ報知する処理の流れを示すフローチャート。
【図１０】第３相関関係記憶部の構成を示す概念図。
【図１１】加工情報を示す概念図。
【図１２】加工情報を示す概念図。
【図１３】加工情報を示す概念図。
【図１４】報知システムが対象作業者へ報知する処理の流れを示すフローチャート。
【図１５】第３相関関係記憶部の構成を示す概念図。
【図１６】第２相関関係記憶部の構成を示す概念図。
【図１７】報知システムが対象作業者へ報知する処理の流れを示すフローチャート。
【図１８】第１アドバイス情報の構成を示す概念図。
【図１９】第１アドバイス情報の構成を示す概念図。
【図２０】第２アドバイス情報の構成を示す概念図。
【図２１】第２アドバイス情報の構成を示す概念図。
【図２２】本発明の第２実施形態による報知システムの構成図。
【図２３】本発明の第２実施形態による管理センタの構成図。
【図２４】本発明の第２実施形態による端末装置の構成図。
【図２５】本発明の第３実施形態による報知システムの構成図。
【図２６】本発明の第３実施形態による管理センタの構成図。
【図２７】本発明の第３実施形態による端末装置の構成図。
【図２８】本発明の第４実施形態による報知システムの構成図。
【図２９】本発明の第４実施形態による端末装置の構成図。
【符号の説明】
【０２０１】
１，１００，２００，３００  報知システム
１０，１１０，２１０  管理センタ
４０，１４０，２４０，３４０  端末装置群
８０  ネットワーク
【図１】
0004622246.tif 000002
【図２】
0004622246.tif 000003
【図３】
0004622246.tif 000004
【図４】
0004622246.tif 000005
【図５】
0004622246.tif 000006
【図６】
0004622246.tif 000007
【図７】
0004622246.tif 000008
【図８】
0004622246.tif 000009
【図９】
0004622246.tif 000010
【図１０】
0004622246.tif 000011
【図１１】
0004622246.tif 000012
【図１２】
0004622246.tif 000013
【図１３】
0004622246.tif 000014
【図１４】
0004622246.tif 000015
【図１５】
0004622246.tif 000016
【図１６】
0004622246.tif 000017
【図１７】
0004622246.tif 000018
【図１８】
0004622246.tif 000019
【図１９】
0004622246.tif 000020
【図２０】
0004622246.tif 000021
【図２１】
0004622246.tif 000022
【図２２】
0004622246.tif 000023
【図２３】
0004622246.tif 000024
【図２４】
0004622246.tif 000025
【図２５】
0004622246.tif 000026
【図２６】
0004622246.tif 000027
【図２７】
0004622246.tif 000028
【図２８】
0004622246.tif 000029
【図２９】
0004622246.tif 000030